(57)【特許請求の範囲】
【請求項１】
画像走査期間と垂直ブランキング期間を有するフレーム周期で画像を更新する画像表示パネルと、
前記画像表示パネルの背面に配置され、印加された電場に応じて、入射した光を散乱する散乱状態、または、前記光を透過する透過状態に切り替わる光変調層と、
前記光変調層の側面から入射して前記光変調層内を進行する光を発光する光源と、
前記光源の光の進行方向と交差する方向に前記光変調層を分割する分割領域ごとに形成され、前記光変調層に前記電場を印加する電極と、
前記画像走査期間に対応する第１の期間に、前記光源の光の進行方向と平行方向に順次走査する画像走査に同期して前記電極を駆動し、散乱状態にする前記分割領域を順次切り替え、前記垂直ブランキング期間に対応する第２の期間に、前記側面からの距離が遠いほど散乱時間が長くなるように前記電極を駆動し、前記分割領域ごとに散乱状態を制御する制御部と、
を有する表示装置。
【請求項２】
前記制御部は、前記画像表示パネルによる前記画像走査が終了した順に、前記分割領域を散乱状態にする、
請求項１に記載の表示装置。
【請求項３】
前記制御部は、前記側面に入射した前記光源の光が、前記分割領域に入射するまでの距離に応じて低下する輝度の低下量に基づき、前記第２の期間において、前記分割領域を散乱状態にする散乱時間を制御する、
請求項１に記載の表示装置。
【請求項４】
前記制御部は、前記分割領域を同じ駆動条件で散乱状態にしたときに前記分割領域から出射される光の輝度を登録した輝度分布テーブルに基づき、前記第１の期間において前記分割領域から出射される光の輝度が要求輝度に不足するときは、不足分に応じて散乱時間を制御する、
請求項１に記載の表示装置。
【請求項５】
前記光源からの光が入射する前記光変調層の第１の側面に対向する第２の側面から入射して前記光変調層を進行する光を発光する第２の光源を有し、
前記制御部は、前記分割領域の前記第１の側面からの距離及び前記第２の側面からの距離に基づいて、当該分割領域における散乱状態を制御する、
請求項１に記載の表示装置。
【請求項６】
フレーム周期で画像が更新される画像表示パネルと、
前記画像表示パネルの背面に配置され、印加された電場に応じて入射した光を散乱する散乱状態、または、前記光を透過する透過状態に切り替わる光変調層と、
前記光変調層の第１の側面から入射して、前記光変調層内を第１の方向に進行する光を発光する第１の光源と、
前記光変調層の前記第１の側面と対向する第２の側面から入射して、前記光変調層内を前記第１の方向と逆の第２の方向に進行する光を発光する第２の光源と、
前記第１の方向及び前記第２の方向に交差する方向に前記光変調層を分割する分割領域ごとに形成され、前記光変調層に前記電場を印加する電極と、
フレーム期間に対応するバックライト走査期間において、前記第１の方向または前記第２の方向に順次走査する画像走査をおこなわせ、前記分割領域を所定の順に選択し、選択した前記分割領域に対応する前記電極を前記画像表示パネルの中央部に近いほど散乱時間が長くなるように駆動し、前記分割領域ごとに散乱状態を制御する制御部と、を有し、
前記制御部は、
前記バックライト走査期間を前記分割領域に等分に配分した割当駆動期間を設定し、
前記分割領域に対応する前記画像表示パネルの領域に書き込まれる画像信号に基づいて前記分割領域毎に要求輝度を設定し、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量に基づき、前記分割領域から前記要求輝度を得るための散乱時間が、前記割当駆動期間より短い第１の分割領域における空き時間を、前記分割領域から前記要求輝度を得るための散乱時間が前記割当駆動期間よりも長い第２の分割領域の散乱時間に割り当てる、
表示装置。
【請求項７】
フレーム周期で画像が更新される画像表示パネルと、
前記画像表示パネルの背面に配置され、印加された電場に応じて入射した光を散乱する散乱状態、または、前記光を透過する透過状態に切り替わる光変調層と、
前記光変調層の第１の側面から入射して、前記光変調層内を第１の方向に進行する光を発光する第１の光源と、
前記光変調層の前記第１の側面と対向する第２の側面から入射して、前記光変調層内を前記第１の方向と逆の第２の方向に進行する光を発光する第２の光源と、
前記第１の方向及び前記第２の方向に交差する方向に前記光変調層を分割する分割領域ごとに形成され、前記光変調層に前記電場を印加する電極と、
フレーム期間に対応するバックライト走査期間において、前記第１の方向または前記第２の方向に順次走査する画像走査をおこなわせ、前記分割領域を所定の順に選択し、選択した前記分割領域に対応する前記電極を前記画像表示パネルの中央部に近いほど散乱時間が長くなるように駆動し、前記分割領域ごとに散乱状態を制御する制御部と、を有し、
前記制御部は、
前記分割領域に対応する前記画像表示パネルの領域に書き込まれる画像信号を解析し、解析結果に基づいて、前記分割領域が、出射する光の輝度を周囲の前記分割領域より高くする輝度上げ対象であるときは、当該分割領域を散乱状態にする散乱時間に、前記第１の光源及び前記第２の光源を点灯する、
表示装置。
【請求項８】
画像走査期間と垂直ブランキング期間を有するフレーム周期で画像が更新される画像表示パネルと、
前記画像表示パネルの背面に配置され、印加された電場に応じて入射した光を散乱する散乱状態、または、前記光を透過する透過状態に切り替わる光変調層と、
前記光変調層の第１の側面から入射して、前記光変調層内を第１の方向に進行する光を発光する第１の光源と、
前記光変調層の前記第１の側面と対向する第２の側面から入射して、前記光変調層内を前記第１の方向と逆の第２の方向に進行する光を発光する第２の光源と、
前記第１の方向及び前記第２の方向に交差する方向に前記光変調層を分割する分割領域ごとに形成され、前記光変調層に前記電場を印加する電極と、
前記画像走査期間に対応する第１の期間に、前記第１の方向または前記第２の方向に順次走査する画像走査に同期して前記電極を駆動し、散乱状態にする前記分割領域を順次切り替え、前記垂直ブランキング期間に対応する第２の期間に、前記画像表示パネルの中央部に近いほど散乱時間が長くなるように前記電極を駆動し、前記分割領域ごとに散乱状態を制御する制御部と、
を有する表示装置。
【請求項９】
前記制御部は、
前記分割領域に対応する前記画像表示パネルの領域に書き込まれる画像信号を解析し、解析結果に基づいて、前記分割領域が、出射する光の輝度を周囲の前記分割領域より高くする輝度上げ対象であるときは、当該分割領域を散乱状態にする散乱時間に、前記第１の光源及び前記第２の光源を点灯する、
請求項６または８に記載の表示装置。
【請求項１０】
前記制御部は、前記画像表示パネルによる画像走査が終了した順に、前記分割領域を散乱状態にする、
請求項６乃至８のいずれか１項に記載の表示装置。
【請求項１１】
前記制御部は、
前記バックライト走査期間において前記分割領域を散乱状態に制御する割当駆動期間を設定し、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量と、に基づき、前記分割領域の前記割当駆動期間において、前記第１の光源及び前記第２の光源のうちの少なくとも一方を駆動する駆動電流を制御する、
請求項６または７に記載の表示装置。
【請求項１２】
前記制御部は、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量と、に基づき、前記バックライト走査期間に、前記分割領域を散乱状態にする散乱時間を制御する、
請求項６または７に記載の表示装置。
【請求項１３】
前記制御部は、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量と、に基づき、前記分割領域に入射する前記第１の光源からの光の輝度と、前記第２の光源からの光の輝度を合計した合計輝度に基づき、前記分割領域ごとに散乱状態を制御する、
請求項６乃至８のいずれか１項に記載の表示装置。
【請求項１４】
前記制御部は、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量と、に基づき、
前記第１の光源または前記第２の光源のうち、前記分割領域に入射する光の輝度が高い方を選択し、
前記分割領域を散乱状態にする期間に、選択した前記第１の光源または前記第２の光源を点灯し、選択しなかった前記第１の光源または前記第２の光源を消灯する、
請求項６乃至９のいずれか１項に記載の表示装置。
【請求項１５】
前記制御部は、
前記第１の輝度低下量または前記第２の輝度低下量のうち、選択した光源に対応する輝度低下量に基づいて、前記分割領域を散乱状態にする散乱時間を制御する、
請求項１４に記載の表示装置。
【請求項１６】
前記制御部は、
前記分割領域を散乱状態にする期間に、前記第１の輝度低下量または前記第２の輝度低下量のうち、選択した光源に対応する輝度低下量に基づいて、前記分割領域を散乱状態にする散乱時間に選択した前記第１の光源または前記第２の光源を駆動する駆動電流を制御する、
請求項１４に記載の表示装置。
【請求項１７】
前記制御部は、
第１の分割領域と、前記第１の分割領域と前記第２の側面との間に配置されている第２の分割領域を選択し、
前記第１の分割領域に入射する前記第１の光源からの光を散乱状態にする第１の散乱時間と、前記第２の分割領域に入射する前記第２の光源からの光を散乱状態にする第２の散乱時間と、が重なるように制御する、
請求項７に記載の表示装置。
【請求項１８】
順次入力する少なくとも１フレーム期間の画像信号を格納するフレームメモリを有し、
前記制御部は、前記フレームメモリに格納される１フレーム期間の画像信号を解析してバックライト輝度プロファイルを算出し、前記バックライト輝度プロファイルに基づき、前記第１の光源、前記第２の光源及び前記電極を駆動する駆動パターンを生成する、
請求項６乃至１７のいずれか１項に記載の表示装置。
【発明の詳細な説明】
【技術分野】
【０００１】
本発明は、表示装置に関する。
【背景技術】
【０００２】
バックライトを備える表示装置において、表示面を複数の領域に分割し、バックライトからの光を個別の領域ごとにオン・オフ制御する技術がある。サイド光源型のバックライトでは、透明な樹脂材料内に散乱材を混入させて成形した導光材を設け、側面に配置した光源からの光を散乱させる。このような構成のバックライトでは、光源からの光の進行方向と平行に領域を分割し、領域ごとに配置した光源をオン・オフ制御する。他の領域の光源からの光を利用することができないため、発光効率が低下する。
【０００３】
近年では、導光体としてＰＤＬＣ（Polymer Dispersed Liquid Crystal）と呼ばれる高分子分散型液晶を備えるものがある。ＰＤＬＣは、領域電極に印加する電圧を制御することによって、入射した光を散乱する散乱状態、または透過する透過状態に切り替わる。ＰＤＬＣを備えるバックライトは、ＰＤＬＣを散乱状態に制御することで、サイド光源から入射した光を表示面に向けて発光させることができる。例えば、光源からの光の進行方向と交差して形成した領域ごとに領域電極を設け、ＰＤＬＣの散乱状態と透過状態を切り替えることにより、バックライト光を領域ごとに制御できる。ＰＤＬＣを用いた表示装置では、光の進行方向に交差して分割領域を形成できるため、光源を常時オンした状態において、分割領域単位のバックライト光の制御が可能となる。
【先行技術文献】
【特許文献】
【０００４】
【特許文献１】特開２０１４−１０２２９５号公報
【発明の概要】
【発明が解決しようとする課題】
【０００５】
しかしながら、表示装置を光源からの光の進行方向と交差して領域を形成する構成とした場合、領域ごとに光源からの距離が異なってしまう。このため、光源から離れた領域ほど、領域に入射する光源の輝度が低下する。したがって、各領域で一様に電極を駆動した場合には、光源からの距離が離れた領域ほど輝度が低下してしまう。しかしながら、最も輝度の低い領域を基準として輝度制御を行うとすると、バックライト全体の輝度が低下してしまう。
【０００６】
１つの側面では、本発明は、バックライトの輝度を全領域で均一化することにある。また、１つの側面では、本発明は、バックライトの輝度アップを図ることにある。
【課題を解決するための手段】
【０００７】
１つの態様では、画像走査期間と垂直ブランキング期間を有するフレーム周期で画像を更新する画像表示パネルと、前記画像表示パネルの背面に配置され、印加された電場に応じて、入射した光を散乱する散乱状態、または、前記光を透過する透過状態に切り替わる光変調層と、前記光変調層の側面から入射して前記光変調層内を進行する光を発光する光源と、前記光源の光の進行方向と交差する方向に前記光変調層を分割する分割領域ごとに形成され、前記光変調層に前記電場を印加する電極と、前記画像走査期間に対応する第１の期間に、前記光源の光の進行方向と平行方向に順次走査する画像走査に同期して前記電極を駆動し、散乱状態にする前記分割領域を順次切り替え、前記垂直ブランキング期間に対応する第２の期間に、前記側面からの距離が遠いほど散乱時間が長くなるように前記電極を駆動し、前記分割領域ごとに散乱状態を制御する制御部と、を有する表示装置、が提供される。
【０００８】
また、１つの態様では、フレーム周期で画像が更新される画像表示パネルと、前記画像表示パネルの背面に配置され、印加された電場に応じて入射した光を散乱する散乱状態、または、前記光を透過する透過状態に切り替わる光変調層と、前記光変調層の第１の側面から入射して、前記光変調層内を第１の方向に進行する光を発光する第１の光源と、前記光変調層の前記第１の側面と対向する第２の側面から入射して、前記光変調層内を前記第１の方向と逆の第２の方向に進行する光を発光する第２の光源と、前記第１の方向及び前記第２の方向に交差する方向に前記光変調層を分割する分割領域ごとに形成され、前記光変調層に前記電場を印加する電極と、フレーム期間に対応するバックライト走査期間において、前記第１の方向または前記第２の方向に順次走査する画像走査をおこなわせ、前記分割領域を所定の順に選択し、選択した前記分割領域に対応する前記電極を前記画像表示パネルの中央部に近いほど散乱時間が長くなるように駆動し、前記分割領域ごとに散乱状態を制御する制御部と、を有し、前記制御部は、前記バックライト走査期間を前記分割領域に等分に配分した割当駆動期間を設定し、前記分割領域に対応する前記画像表示パネルの領域に書き込まれる画像信号に基づいて前記分割領域毎に要求輝度を設定し、前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量に基づき、前記分割領域から前記要求輝度を得るための散乱時間が、前記割当駆動期間より短い第１の分割領域における空き時間を、前記分割領域から前記要求輝度を得るための散乱時間が前記割当駆動期間よりも長い第２の分割領域の散乱時間に割り当てる、表示装置、が提供される。
また、１つの態様では、フレーム周期で画像が更新される画像表示パネルと、前記画像表示パネルの背面に配置され、印加された電場に応じて入射した光を散乱する散乱状態、または、前記光を透過する透過状態に切り替わる光変調層と、前記光変調層の第１の側面から入射して、前記光変調層内を第１の方向に進行する光を発光する第１の光源と、前記光変調層の前記第１の側面と対向する第２の側面から入射して、前記光変調層内を前記第１の方向と逆の第２の方向に進行する光を発光する第２の光源と、前記第１の方向及び前記第２の方向に交差する方向に前記光変調層を分割する分割領域ごとに形成され、前記光変調層に前記電場を印加する電極と、フレーム期間に対応するバックライト走査期間において、前記第１の方向または前記第２の方向に順次走査する画像走査をおこなわせ、前記分割領域を所定の順に選択し、選択した前記分割領域に対応する前記電極を前記画像表示パネルの中央部に近いほど散乱時間が長くなるように駆動し、前記分割領域ごとに散乱状態を制御する制御部と、を有し、前記制御部は、前記分割領域に対応する前記画像表示パネルの領域に書き込まれる画像信号を解析し、解析結果に基づいて、前記分割領域が、出射する光の輝度を周囲の前記分割領域より高くする輝度上げ対象であるときは、当該分割領域を散乱状態にする散乱時間に、前記第１の光源及び前記第２の光源を点灯する、表示装置、が提供される。
また、１つの態様では、画像走査期間と垂直ブランキング期間を有するフレーム周期で画像が更新される画像表示パネルと、前記画像表示パネルの背面に配置され、印加された電場に応じて入射した光を散乱する散乱状態、または、前記光を透過する透過状態に切り替わる光変調層と、前記光変調層の第１の側面から入射して、前記光変調層内を第１の方向に進行する光を発光する第１の光源と、前記光変調層の前記第１の側面と対向する第２の側面から入射して、前記光変調層内を前記第１の方向と逆の第２の方向に進行する光を発光する第２の光源と、前記第１の方向及び前記第２の方向に交差する方向に前記光変調層を分割する分割領域ごとに形成され、前記光変調層に前記電場を印加する電極と、前記画像走査期間に対応する第１の期間に、前記第１の方向または前記第２の方向に順次走査する画像走査に同期して前記電極を駆動し、散乱状態にする前記分割領域を順次切り替え、前記垂直ブランキング期間に対応する第２の期間に、前記画像表示パネルの中央部に近いほど散乱時間が長くなるように前記電極を駆動し、前記分割領域ごとに散乱状態を制御する制御部と、を有する表示装置、が提供される。
【図面の簡単な説明】
【０００９】
【図１】第１の実施の形態の表示装置の構成例を示す図である。
【図２】第２の実施の形態の表示装置の構成を示す斜視図である。
【図３】第２の実施の形態の表示装置の導光部の構成の一例を示す断面図である。
【図４】ＰＤＬＣの作用を説明する図である。
【図５】第２の実施の形態の表示装置の電極構造の一例を示す図である。
【図６】第２の実施の形態の表示装置のバックライト部分駆動を示す図である。
【図７】第２の実施の形態の表示装置の光源からの光の輝度分布を示す図である。
【図８】第２の実施の形態の表示装置のハードウェア構成の一例を示す図である。
【図９】第２の実施の形態の表示装置の機能構成例を示す図である。
【図１０】第２の実施の形態の表示装置の各機能部の駆動タイミングを示す図である。
【図１１】第２の実施の形態の表示装置の駆動パターンの一例を示す図である。
【図１２】第２の実施の形態の表示装置のバックライト輝度分布の一例を示す図である。
【図１３】第２の実施の形態の電極駆動の一例を示す図である。
【図１４】第２の実施の形態の表示装置の駆動パターンの他の例を示す図である。
【図１５】第３の実施の形態の表示装置の構成の一例を示す図である。
【図１６】第４の実施の形態の表示装置の構成を示す斜視図である。
【図１７】第４の実施の形態の表示装置の導光部の構成の一例を示す断面図である。
【図１８】第４の実施の形態の表示装置の光源からの光の輝度分布を示す図である。
【図１９】第４の実施の形態の表示装置の機能構成例を示す図である。
【図２０】第４の実施の形態の表示装置のバックライト部分駆動を示す図である。
【図２１】第４の実施の形態の表示装置の駆動パターンの第１実施例を示す図である。
【図２２】第４の実施の形態の表示装置の第１実施例におけるバックライト光の輝度分布を示す図である。
【図２３】第４の実施の形態の表示装置の駆動パターンの第２実施例を示す図である。
【図２４】第４の実施の形態の表示装置の第２実施例におけるバックライト光の輝度分布を示す図である。
【図２５】第４の実施の形態の表示装置の駆動パターンの第３実施例を示す図である。
【図２６】第４の実施の形態の表示装置の第３実施例におけるバックライト光の輝度分布を示す図である。
【図２７】第５の実施の形態の表示装置における駆動パターンの一例を示す図である。
【図２８】第５の実施の形態の表示装置におけるバックライト光の輝度分布を示す図である。
【図２９】第６の実施の形態の表示装置における駆動パターンの一例を示す図である。
【図３０】第７の実施の形態の表示装置における駆動パターンの一例を示す図である。
【図３１】第８の実施の形態の表示装置における駆動パターンの一例を示す図である。
【図３２】第８の実施の形態の表示装置におけるバックライト光の輝度分布を示す図である。
【図３３】第９の実施の形態の表示装置における駆動パターンの一例を示す図である。
【図３４】第１０の実施の形態の表示装置における駆動パターンの一例を示す図である。
【図３５】第１０の実施の形態の表示装置におけるバックライト光の輝度分布を示す図である。
【図３６】第１１の実施の形態の表示装置における駆動パターンの一例を示す図である。
【図３７】第１２の実施の形態の表示装置のバックライト部分駆動を示す図である。
【図３８】第１２の実施の形態の表示装置における駆動パターンの一例を示す図である。
【図３９】第１２の実施の形態の表示装置におけるバックライト光の輝度分布を示す図である。
【図４０】第１３の実施の形態の表示装置の機能構成例を示す図である。
【図４１】第１３の実施の形態の表示装置の各機能部の駆動タイミングを示す図である。
【図４２】第１３の実施の形態の表示装置の表示画面例を示す図である。
【図４３】第１３の実施の形態の表示装置における駆動パターンの一例を示す図である。
【図４４】第１３の実施の形態の表示装置におけるバックライト光の輝度分布を示す図である。
【発明を実施するための形態】
【００１０】
以下に、本発明の各実施の形態について、図面を参照しつつ説明する。
なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまでも一例であって、本発明の解釈を限定するものではない。
また、本発明と各図において、既出の図に関して前述したものと同様の要素には、同一の符号を付して、詳細な説明を適宜省略することがある。
【００１１】
［第１の実施の形態］
第１の実施の形態の表示装置について図１を用いて説明する。図１は、第１の実施の形態の表示装置の構成例を示す図である。
【００１２】
第１の実施の形態の表示装置１は、画像表示パネル２、第１電極３、光変調層４、第２電極５、光源６及び制御部７を有する。図１では、各構成部をずらして示しているが、画像表示パネル２、第１電極３、光変調層４及び第２電極５は、利用者の視認側からこの順に積層されている。第１電極３、光変調層４、第２電極５及び光源６は、画像表示パネル２のバックライトとして機能する。また、表示装置１は、光源６からの光の進行方向と交差する方向に光変調層４を分割した分割領域４ａ，４ｂ，４ｃ，４ｄごとに、バックライト光を制御する。なお、バックライト光は、光源６から入射した光が光変調層４で散乱され、画像表示パネル２側に出射された光を指す。
【００１３】
画像表示パネル２は、画像信号を入力し、フレーム周期で画像を更新する。フレーム周期の１フレーム期間には、画像表示パネル２に画像信号を書き込む画像走査期間と、画像信号の書き込みを行わない垂直ブランキング期間が含まれる。画像走査期間には、バックライトの分割領域４ａ，４ｂ，４ｃ，４ｄと重なる表示領域２ａ，２ｂ，２ｃ，２ｄを順に画像走査する。制御部７は、画像表示パネル２を駆動し、表示領域２ａから表示領域２ｄに向かう方向、または、表示領域２ｄから表示領域２ａに向かう方向に画像走査を実行させる。
【００１４】
第１電極３と第２電極５は、光変調層４を挟んで対向し、光変調層４に電界を印加する。第１電極３及び第２電極５は、ＩＴＯ（Indium Tin Oxide）などの透明導電膜により形成される透明電極である。第１電極３は、分割領域４ａ，４ｂ，４ｃ，４ｄにそれぞれ形成される部分電極３ａ，３ｂ，３ｃ，３ｄを有する。部分電極３ａ，３ｂ，３ｃ，３ｄは、それぞれ制御部７に接続し、個別に所定の駆動電圧が供給される。第２電極５は、分割領域４ａ，４ｂ，４ｃ，４ｄごと、あるいは一体に形成される共通電極である。第２電極５には、コモン電位が供給される。部分電極３ａ，３ｂ，３ｃ，３ｄに供給される駆動電圧と、第２電極５に供給されるコモン電位との差に応じて分割領域４ａ，４ｂ，４ｃ，４ｄに電界が発生する。なお、図１では、第１電極３を光変調層４と画像表示パネル２との間に配置しているが、第１電極３と第２電極５の配置は逆であってもよい。また、光変調層４に電場を印加することができればよく、第１電極３と第２電極５とがともに光変調層４の一方の面側にあってもよい。
【００１５】
光変調層４の分割領域４ａ，４ｂ，４ｃ，４ｄは、それぞれ対応する部分電極３ａ，３ｂ，３ｃ，３ｄと、第２電極５との間に生じる電圧差によって電場が印加される。光変調層４は、印加された電場に応じて、散乱状態または透過状態に切り替わる。散乱状態では、光源６から入射した光を散乱し、散乱した光の一部が画像表示パネル２側に出射する。また、透過状態では、光源６から入射した光を透過する。透過した光は、進行方向を次の分割領域へ進む。画像表示パネル２側から視認すると、散乱状態にある分割領域は点灯し、透過状態にある分割領域は消灯している。このように、光変調層４を散乱状態にしている時間を散乱時間とする。なお、光変調層４には、電場の印加時に散乱状態、無印加時に透過状態となる第１のタイプと、電場の印加時に透過状態、無印加時に散乱状態となる第２のタイプがある。以下では、第１のタイプの場合について説明するが、第１のタイプについての説明は、第２のタイプについても適用される。
【００１６】
光源６は、光変調層４の側面の近傍に配置され、側面から光変調層４内に進行する光を発光する。光は、光変調層４に入射し、入射した側面に対向する側面に向かって進行する。以下、光源６からの光が入射する側面を入射面とする。このように光変調層４内を進行する光は、入射面からの距離が長くなるにしたがって減衰し、輝度が低下する。例えば、図１の例では、光変調層４の各分割領域に入射する光の輝度の大きさは、分割領域４ｄ＞分割領域４ｃ＞分割領域４ｂ＞分割領域４ａになる。制御部７に接続し、制御部７によって発光のオン・オフと発光時の光量が制御される。
【００１７】
制御部７は、画像表示パネル２のフレーム周期に同期して、部分電極３ａ，３ｂ，３ｃ，３ｄの駆動と、光源６の輝度を制御する。制御部７は、例えば、ＣＰＵ（Central Processing Unit）などのプロセッサである。ただし、制御部７は、ＡＳＩＣ（Application Specific Integrated Circuit）やＦＰＧＡ（Field Programmable Gate Array）などの特定用途の電子回路を含んでもよい。
【００１８】
制御部７は、画像表示パネル２のフレーム周期に同期して、部分電極３ａ，３ｂ，３ｃ，３ｄと対応する第２電極５の部分との間に順次所定の電圧を印加し、分割領域４ａ，４ｂ，４ｃ，４ｄを順次散乱状態に切り替える制御を行う。以下、このように、分割領域４ａ，４ｂ，４ｃ，４ｄを順次散乱状態に切り替える処理をバックライト走査とする。制御部７は、画像走査期間に対応する期間を第１の期間、垂直ブランキング期間に対応する期間を第２の期間として、バックライト走査を行う。なお、画像走査の方向と、バックライト走査の方向は同じにする。
【００１９】
第１の期間に、制御部７は、画像走査に同期して、画像走査が終了した分割領域４ａ，４ｂ，４ｃ，４ｄのバックライト走査を行う。制御部７は、例えば、画像表示パネル２が画像走査を行う表示領域２ａ，２ｂ，２ｃ，２ｄを切り替えるタイミングに合わせて、散乱状態とする分割領域４ａ，４ｂ，４ｃ，４ｄを順に切り替える。一例を挙げると、制御部７は、表示領域２ａの画像走査が終了し、表示領域２ｂの画像走査を行っている期間に、表示領域２ａに対応する分割領域４ａを散乱状態に切り替える。制御部７は、対応する部分電極３ａに所定の電位を印加し、分割領域４ａに電場を印加する。続いて、制御部７は、表示領域２ｃの画像走査の期間に分割領域４ｂを散乱状態にする。このように、制御部７は、表示領域２ａ，２ｂ，２ｃ，２ｄの画像走査に同期して、画像走査が終了した分割領域を順次散乱状態に切り替える。なお、散乱状態とした分割領域ではない他の分割領域は、透過状態にする。このように、第１の期間では、分割領域４ａ，４ｂ，４ｃ，４ｄの散乱時間は等しく、かつ、画像走査の時間と同じである。
【００２０】
第２の期間に、制御部７は、分割領域４ａ，４ｂ，４ｃ，４ｄの入射面からの距離に応じて、分割領域４ａ，４ｂ，４ｃ，４ｄの散乱状態を制御し、バックライト走査を行う。制御部７は、例えば、入射面から遠い分割領域４ａの散乱時間を最大とし、入射面に近くなるほど散乱時間を短くする。
【００２１】
このような構成の表示装置１の動作の一例について説明する。
画像表示パネル２は、画像走査期間において、表示領域２ａ、表示領域２ｂ、表示領域２ｃ、表示領域２ｄの順に画像走査を行う。なお、画像走査の順は、逆であってもよい。制御部７は、画像走査に同期し、画像走査が終了した順に、分割領域４ａ、分割領域４ｂ、分割領域４ｃ、分割領域４ｄを散乱状態に切り替える。例えば、画像走査を行う表示領域２ａ，２ｂ，２ｃ，２ｄと、バックライト走査を行う分割領域４ａ，４ｂ，４ｃ，４ｄは、画像走査が１領域分先行するように制御する。例えば、制御部７は、表示領域２ｂの画像走査期間に、画像走査の終了した分割領域４ａを散乱状態に制御する。このとき、他の分割領域４ｂ，４ｃ，４ｄは透過状態に制御される。このように、１領域ずれた状態で、画像走査とバックライト走査が同期する。なお、画像走査に対し、バックライト走査をどのくらい遅らせるかは、１領域分に限らない。１領域分の画像走査期間を単位として、その整数倍で適宜バックライト走査を遅延させることができる。
【００２２】
このように、表示装置１では、画像走査に同期し、画像走査が終了した分割領域を順次散乱状態に切り替える。これにより、散乱状態に切り替える前に、表示領域の画像に応じた必要な輝度を求めることができる。よって、フレームメモリを設けることなく、分割領域ごとに、ローカルディミング処理が可能となる。なお、ローカルディミング処理は、表示領域の画像信号に基づき、バックライト光の輝度を表示画像に合わせて制御する処理をいう。以下において、バックライト光の輝度は、所定の期間、例えば、１フレーム期間において得られる輝度とする。例えば、ある領域について、フレーム期間に散乱状態となった時間と、散乱状態のときに領域に入射した光の輝度と、に基づく値である。
【００２３】
垂直ブランキング期間では、画像表示パネル２は画像走査を行わない。第２の期間では、制御部７は、各分割領域４ａ，４ｂ，４ｃ，４ｄの入射面からの距離に応じて、散乱時間を配分する。光源６からの光は光変調層４内を進行するにしたがって減衰する。第１の期間において、分割領域４ａ，４ｂ，４ｃ，４ｄの散乱時間は同じであるため、入射面から遠い分割領域ほど出射するバックライト光の輝度が低下する。制御部７では、入射面からの距離に応じた輝度の低下量に基づき、各分割領域の散乱時間を決定する。制御部７は、入射面から最も遠い分割領域４ａの散乱時間を最大とし、分割領域４ｂ、分割領域４ｃ、分割領域４ｄの順に散乱時間を短くしていく。
【００２４】
このように、表示装置１は、第２の期間において、バックライト光の輝度アップを図る。光源６からの距離に応じて低下する輝度に基づいて第２の期間における散乱時間を分割領域４ａ，４ｂ，４ｃ，４ｄに配分する。例えば、光源６に最も近い分割領域４ｄを第１の期間において点灯したときのバックライト光と同じになるように、第２の期間における他の分割領域４ａ，４ｂ，４ｃの散乱時間を配分する。これにより、光源６からの距離によらず、分割領域４ａ，４ｂ，４ｃ，４ｄの輝度を均一にすることができる。また、画像走査が行われていない期間に、光変調層４を散乱状態にするので、分割領域４ａ，４ｂ，４ｃ，４ｄ全体の輝度アップを図ることが可能となる。
【００２５】
［第２の実施の形態］
次に、第２の実施の形態の表示装置について説明する。図２は、第２の実施の形態の表示装置の構成を示す斜視図である。
【００２６】
第２の実施の形態の表示装置１００は、ＬＣＤ（Liquid Crystal Display）パネル１２０の背面に導光部１３０が配置されている。また、導光部１３０の側面に沿って光源１４０が配置され、導光部１３０に向けて光を発光している。導光部１３０と光源１４０は、バックライト部を形成する。なお、以下の説明では、便宜的に、光源１４０が配列される方向をＸ方向、光源１４０の光が進行する方向をＹ方向、導光部１３０とＬＣＤパネル１２０が積層される方向をＺ方向として説明する。
【００２７】
ＬＣＤパネル１２０は、導光部１３０から入射する光を利用して表示を行う。
導光部１３０は、ＬＣＤパネル１２０の表示面に対向する出射面を有し、光源１４０から入射する光を散乱させて出射面から出射する。このときに所定の期間に出射面から出射される光の量に応じて、バックライト光の輝度が決まる。表示装置１００では、導光部１３０の出射面をＹ方向に分割した分割領域ごとにバックライト光の輝度を制御する。以下、分割領域を、光源１４０から遠い側から順に、領域ＣＨ１、領域ＣＨ２、領域ＣＨ３、領域ＣＨ４、領域ＣＨ５、領域ＣＨ６、領域ＣＨ７、領域ＣＨ８、領域ＣＨ９、領域ＣＨ１０とする。以下では、特に領域を指定して説明する必要がないときは、単に領域と表記する。また、導光部１３０は、ＬＣＤパネル１２０の表示画像を領域ごとに解析し、領域の画像に合わせてバックライト光の輝度を制御するローカルディミング処理を行う。
【００２８】
次に、各構成部について順次説明する。
図３は、第２の実施の形態の表示装置の導光部の構成の一例を示す断面図である。図３は、図２に示す表示装置１００のＡ−Ａ’方向の断面図である。なお、ＣＨ１０，ＣＨ９，ＣＨ８，ＣＨ７は領域を示す。
【００２９】
導光部１３０は、透明基板１３１，１３２の間にＰＤＬＣ層１３３、上電極１３４、下電極１３５、配向膜１３６，１３７が積層される。図３の例では、ＬＣＤパネル１２０から遠い側から順に、透明基板１３２、下電極１３５、配向膜１３７、ＰＤＬＣ層１３３、配向膜１３６、上電極１３４、透明基板１３１が積層される。また、透明基板１３２のＬＣＤパネル１２０とは反対側には、反射シート１３８が設けられている。
【００３０】
透明基板１３１，１３２は、ＰＤＬＣ層１３３、上電極１３４、下電極１３５及び配向膜１３６，１３７を支持する。透明基板１３１，１３２は、可視光に対して透明な基板、例えば、ガラス板やプラスチックフィルムで形成される。なお、透明基板１３１のＬＣＤパネル１２０に対向する面が、ＰＤＬＣ層１３３で散乱された光を出射する出射面１３９になる。
【００３１】
ＰＤＬＣ層１３３は、スペーサ１３３２で区切られた領域にＰＤＬＣ１３３１が形成されている。ＰＤＬＣ層１３３は、第１の実施の形態の光変調層４の一例である。表示装置１００では、ＰＤＬＣ１３３１は、電場印加時に散乱状態、電場無印加時に透過状態に切り替わる。スペーサ１３３２は、ＰＤＬＣ１３３１とＰＤＬＣ１３３１との間に配置された領域を区切る。また、透明基板１３１，１３２の間隔を保持する。スペーサ１３３２は、透明材料で形成され、Ｙ方向に沿って入射した光を透過する。スペーサ１３３２は、好ましくは、ＰＤＬＣ１３３１が透過状態にあるときの光の透過度よりも高い透過度を有する材料で形成される。透過度を高くすることにより、ＰＤＬＣ層１３３内を進行する光の減衰を軽減することができる。なお、スペーサ１３３２を形成せず、スペーサ１３３２の領域にＰＤＬＣ１３３１を配置するとしてもよい。
【００３２】
上電極１３４及び下電極１３５は、領域ごとに、ＰＤＬＣ１３３１を挟んで対向して配置される。上電極１３４及び下電極１３５は、透明導電膜で形成される。表示装置１００では、上電極１３４は領域電極であり、下電極１３５は共通電極である。上電極１３４と下電極１３５との間の電位差によって、ＰＤＬＣ１３３１に電場を印加する。
【００３３】
配向膜１３６，１３７は、電場が無印加時に、ＰＤＬＣ１３３１内の液晶分子を所定の方向に配向させる。配向膜には、例えば、垂直用配向膜と、水平用配向膜がある。
反射シート１３８は、反射、拡散、散乱などの機能を有し、出射面１３９の反対側に位置する透明基板１３２から漏れ出てきた光をＰＤＬＣ層１３３側に戻す。これにより、出射面１３９に出射される光を増やし、輝度を上げることができる。また、反射シート１３８によって、外部に漏れる光が抑制されるため、光源１４０から入射した光を効率的に利用することができる。反射シート１３８は、例えば、発泡ＰＥＴ（PolyEthylene Terephthalate）や銀蒸着フィルム、多層膜反射フィルム、白色ＰＥＴなどを用いることができる。
【００３４】
図４は、ＰＤＬＣの作用を説明する図である。図４は、図３に示すＰＤＬＣ１３３１部分を拡大した図である。なお、図４では、上電極１３４、下電極１３５及び配向膜１３６，１３７は省略している。（Ａ）は透過状態、（Ｂ）は散乱状態を示す。
【００３５】
ここで、ＰＤＬＣ１３３１について説明する。ＰＤＬＣ１３３１は、液晶性モノマー１３３１ａと、液晶性モノマー１３３１ａ内に分散された液晶分子１３３１ｂを含む。液晶性モノマー１３３１ａと、液晶分子１３３１ｂは、屈折率異方性が同じで、電場に対する応答性が異なる。より詳しくは、液晶性モノマー１３３１ａと液晶分子１３３１ｂとは、常光屈折率及び異常光屈折率は互いに等しい。なお、例えば、製造誤差などによる屈折率のずれは許容される。一方、電場に対する応答性は、液晶分子１３３１ｂの方が液晶性モノマー１３３１ａよりも高い。液晶性モノマー１３３１ａは、例えば、電場に対して応答しない筋状構造もしくは多孔質構造となっているか、または液晶分子１３３１ｂよりも遅い応答速度を有する棒状構造となっている。また、液晶性モノマー１３３１ａは、例えば、液晶分子１３３１ｂの配向方向または配向膜１３６，１３７の配向方向に沿って配向した、配向性を有する。なお、液晶性モノマー１３３１ａは、光または熱で硬化されることで重合化可能なモノマーであることが好ましい。当該液晶性モノマーを重合化させてポリマー化した場合、液晶分子１３３１ｂと液晶性ポリマー（高分子材料）は、常光屈折率及び異常光屈折率が互いに等しいまま硬化されることが好ましい。また、電場に対する応答性は、液晶分子１３３１ｂの方が液晶性ポリマーよりも高いことが好ましい。以下、液晶性モノマーについての記載は、当該液晶性モノマーを重合化された液晶性ポリマーについても該当する。
【００３６】
このようなＰＤＬＣ１３３１は、上電極１３４と下電極１３５との間に電位差がなく、電場が印加されていないとき、（Ａ）に示す透過状態となる。すなわち、電場が印加されていない状態では、配向膜１３６，１３７の作用によって、屈折率異方性が同じ液晶性モノマー１３３１ａと液晶分子１３３１ｂとが同じ方向に配向されている。したがって、液晶性モノマー１３３１ａと液晶分子１３３１ｂとは、あらゆる方向において屈折率差がほとんどない。この状態で、ＰＤＬＣ１３３１の側面から入射した光Ｌ１，Ｌ２，Ｌ３は、液晶性モノマー１３３１ａと液晶分子１３３１ｂとの境界で散乱されない。光Ｌ１，Ｌ２，Ｌ３は、Ｙ方向に進行し、ＰＤＬＣ１３３１を透過する。図４では、光Ｌ１，Ｌ２，Ｌ３の進行方向を点線の矢印で示している。
【００３７】
一方、ＰＤＬＣ１３３１は、上電極１３４と下電極１３５との間の電位差によって、電場が印加されているとき、（Ｂ）に示す散乱状態となる。すなわち、電場が印加されている状態では、電場に対する応答性の高い液晶分子１３３１ｂの向きが変わる。一方、液晶性モノマー１３３１ａの配向方向は変わらない。したがって、液晶性モノマー１３３１ａと液晶分子１３３１ｂとは、あらゆる方向において屈折率差が大きくなる。この状態で、ＰＤＬＣ１３３１の側面から入射した光Ｌ１，Ｌ２，Ｌ３は、液晶性モノマー１３３１ａと液晶分子１３３１ｂとの境界で散乱される。図４では、光Ｌ１，Ｌ２，Ｌ３の進行方向を点線で示し、散乱した光をＬ１１，Ｌ２１，Ｌ３１で示している。
【００３８】
このように、ＰＤＬＣ１３３１は、電場が印加されていないときは透過状態であり、上電極１３４と下電極１３５との間の電位差によって電場が印加されると散乱状態となる。なお、ＰＤＬＣ１３３１が、前述した第２のタイプである場合は、散乱状態と透過状態における上電極１３４及び下電極１３５による電圧の印加がＰＤＬＣ１３３１とは逆になる。
【００３９】
図５は、第２の実施の形態の表示装置の電極構造の一例を示す図である。ＣＨ１，・・・，ＣＨ１０は、部分電極が配置される領域を示している。
上電極１３４は、領域ごとに、スリット状のＩＴＯ電極がパターニングされて形成される。上電極１３４は、領域ごとに形成される部分電極に個別の信号線が接続され、それぞれ異なる駆動信号が供給される。例えば、領域ＣＨ１の部分電極には、Ｖｃｈ１が供給される。同様に、領域ＣＨ１０の部分電極には、Ｖｃｈ１０が供給される。分割領域ＣＨ２，・・・，ＣＨ９についても同様である。
【００４０】
下電極１３５は、領域ごとに、スリット状のＩＴＯ電極がパターニングされて形成される。領域ごとに形成される下電極１３５の部分電極は、同じ領域に形成される上電極１３４の部分電極に対向する。下電極１３５は、領域ごとに形成される部分電極に共通の信号線が接続され、電圧Ｖｃｏｍが供給される。上電極１３４及び下電極１３５は、各領域に形成される上電極１３４の部分電極と、下電極１３５の部分電極との間に電位差を発生させることによって駆動される。以下、領域ごと対向配置される上電極１３４の部分電極と下電極１３５の部分電極の組を領域電極とする。
【００４１】
なお、各領域では、図５に示す領域電極が形成されている部分にＰＤＬＣ１３３１が配置され、領域電極が形成されていない部分にスペーサ１３３２が配置される。また、上電極１３４及び下電極１３５の形状は、図５の形状に限定されない。各領域に所望の電場を発生できれば、どのような形状であってもよい。
【００４２】
上記の表示装置１００におけるバックライトの部分駆動について説明する。図６は、第２の実施の形態の表示装置のバックライト部分駆動を示す図である。
光Ｌ４は、光源１４０からＰＤＬＣ層１３３に入射した光を示す。光Ｌ４は、途中で散乱されない場合は、透明基板１３１と透明基板１３２との間で全反射を繰り返しながら、Ｙ方向に進行する。なお、スペーサ１３３２は、入射した光を透過するので、光Ｌ４はスペーサ１３３２内を直進する。
【００４３】
ここで、領域ＣＨ８を駆動する場合について説明する。領域ＣＨ８に対応する領域電極に駆動電圧を印加し、領域ＣＨ８に電場を発生させる。これにより、領域ＣＨ８のＰＤＬＣ１３３１は、散乱状態となる。このとき、他の領域ＣＨ１０、領域ＣＨ９及び領域ＣＨ７の領域電極には駆動電圧を印加しない。これにより、領域ＣＨ１０、領域ＣＨ９及び領域ＣＨ７には、電場が発生せず、透過状態となる。ＰＤＬＣ層１３３は、光源１４０から近い順に、領域ＣＨ１０、領域ＣＨ９は透過状態、領域ＣＨ８は散乱状態、領域ＣＨ７は透過状態になる。
【００４４】
光Ｌ４が最初に入射する領域ＣＨ１０は、透過状態であるため、光Ｌ４はそのまま直進する。光Ｌ４は、領域ＣＨ１０を透過し、領域ＣＨ９に入射する。領域ＣＨ９も透過状態であるため、光Ｌ４はそのまま直進する。光Ｌ４は、領域ＣＨ９を透過し、領域ＣＨ８に入射する。領域ＣＨ８は散乱状態であるため、光Ｌ４は散乱する。そして、散乱された光のうち、出射面１３９側に向かった光が出射面１３９から出射される。なお、透明基板１３２側に向かった光は、反射シート１３８によってＰＤＬＣ１３３１内に戻される。領域ＣＨ８のＰＤＬＣ１３３１内に戻された光は、再度、散乱される。また、光Ｌ４は、大部分が領域ＣＨ８内で散乱されるため、隣の領域ＣＨ７には入射されない。このような状態の導光部１３０は、ＬＣＤパネル１２０側から、領域ＣＨ８が点灯し、他の領域ＣＨ１０，ＣＨ９，ＣＨ７が消灯している状態で視認される。
【００４５】
表示装置１００は、このように、領域を順次散乱状態にすることによって、バックライトの部分駆動を行うことができる。なお、以下では、特に断らない限り、領域を散乱状態にしたときは、他の領域は、透過状態に制御しているとする。
【００４６】
図７は、第２の実施の形態の表示装置の光源からの光の輝度分布を示す図である。図７は、Ｚ方向から視認した導光部１３０及び光源１４０の平面図と、領域の輝度を示すグラフである。グラフの点線は、それぞれ対応する領域の境界を示す。
【００４７】
ここで、光源１４０は、線光源であり、Ｘ方向に均一な光を導光部１３０に向けて発光する。例えば、ＬＥＤ（Light Emitting Diode）をＸ方向に一列に配置して光源１４０を形成することができる。光源１４０は、駆動電流を制御することによって、発光する輝度を制御することができる。なお、以下の説明では、光源１４０を駆動する駆動電流は、光源１４０全体で共通にするが、例えば、複数のＬＥＤを配置し、個別にＬＥＤを制御する構成としてもよい。
【００４８】
光源１４０の光は、図６を用いて説明したように、導光部１３０の側面から表示装置１００に入射し、ＰＤＬＣ層１３３内をＹ方向に進行する。ＰＤＬＣ層１３３内をＹ方向に進行する光は、ＰＤＬＣ層１３３によって減衰され、光源１４０から遠くなるにしたがって、輝度が低下する。
【００４９】
領域に入射する光の輝度は、光源１４０の入射面に最も近い領域ＣＨ１０で最大となる。光源１４０から遠くなるにしたがって、入射する光の輝度は低下し、領域ＣＨ１において最も低くなる。すなわち、領域に入射する光の輝度は、ＣＨ１０＞ＣＨ９＞ＣＨ８＞ＣＨ７＞ＣＨ６＞ＣＨ５＞ＣＨ４＞ＣＨ３＞ＣＨ２＞ＣＨ１になる。
【００５０】
図８は、第２の実施の形態の表示装置のハードウェア構成の一例を示す図である。
表示装置１００は、制御ユニット１１０によって装置全体が制御されている。
制御ユニット１１０は、ＣＰＵ１１１と、ＲＡＭ（Random Access Memory）１１２と、ＲＯＭ（Read Only Memory）１１３とを備え、複数の周辺機器とがバス１１９を介して相互に信号を出入力可能に接続されている。
【００５１】
ＣＰＵ１１１は、ＲＯＭ１１３に格納されるＯＳ（Operating System）のプログラムやアプリケーションプログラム、ＲＡＭ１１２に展開される各種データに基づいて表示装置１００全体の制御を行う。処理実行時にはＲＡＭ１１２に一時的に格納されたＯＳのプログラムやアプリケーションプログラムによって動作するとしてもよい。
【００５２】
ＲＡＭ１１２は、制御ユニット１１０の主記憶装置として使用される。ＲＡＭ１１２には、ＣＰＵ１１１に実行させるＯＳのプログラムやアプリケーションプログラムの少なくとも一部が一時的に格納される。また、ＲＡＭ１１２には、ＣＰＵ１１１による処理に必要な各種データが格納される。
【００５３】
ＲＯＭ１１３は、読み出し専用の半導体記憶装置で、ＯＳのプログラムと、アプリケーションプログラム、書き替えをしない固定データが格納される。また、ＲＯＭ１１３の代わり、あるいはＲＯＭ１１３に加えて、二次記憶装置としてフラッシュメモリ等の半導体記憶装置を使用することもできる。
バス１１９に接続されている周辺機器としては、表示用ドライバ１１４、光源ドライバ１１５、ＰＤＬＣドライバ１１６、入出力インタフェース１１７、通信インタフェース１１８がある。
【００５４】
表示用ドライバ１１４には、ＬＣＤパネル１２０が接続されている。表示用ドライバ１１４は、ＬＣＤパネル１２０に画像信号を出力して画像を表示する。
光源ドライバ１１５には、光源１４０が接続されている。光源ドライバ１１５は、光源１４０を駆動し、ＰＤＬＣ層１３３に入射する光の輝度を制御する。
ＰＤＬＣドライバ１１６には、導光部１３０が接続されている。ＰＤＬＣドライバ１１６は、導光部１３０に形成される領域電極に駆動電圧を印加することによって、ＰＤＬＣ層１３３に電場を印加する。
【００５５】
入出力インタフェース１１７には、利用者の指示を入力する入力装置が接続される。例えば、キーボードや、ポインティングデバイスとして使用されるマウス、タッチパネル等の入力装置が接続される。入出力インタフェース１１７は、入力装置から送られてくる信号をＣＰＵ１１１に送信する。
【００５６】
通信インタフェース１１８は、ネットワーク１９０に接続されている。通信インタフェース１１８は、ネットワーク１９０を介して、他のコンピュータまたは通信機器との間でデータの送受信を行う。
以上のようなハードウェア構成によって、本実施の形態の処理機能を実現することができる。
【００５７】
図９は、第２の実施の形態の表示装置の機能構成例を示す図である。
【００５８】
表示装置１００は、信号処理部１５０が画像信号を入力し、画像信号に基づいて、表示用ドライバ１１４、光源ドライバ１１５及びＰＤＬＣドライバ１１６を駆動する信号を生成する。信号処理部１５０は、画像処理部１５１、タイミング生成部１５２、画像解析部１５３、光源データ記憶部１５４及び駆動パターン決定部１５５を有する。画像処理部１５１、タイミング生成部１５２、画像解析部１５３及び駆動パターン決定部１５５は、例えば、ＣＰＵ１１１などのプロセッサである。光源データ記憶部１５４は、例えば、ＲＡＭ１１２またはＲＯＭ１１３に確保した記憶領域として実現できる。
【００５９】
画像処理部１５１は、画像信号を入力し、表示用信号に変換した後、表示用ドライバ１１４に出力する。画像信号には、ＬＣＤパネル１２０の各画素に対応する色情報が含まれる。ＬＣＤパネル１２０には、画素がマトリクス状に配置されている。各画素は、例えば、赤色、緑色、青色の３つの副画素で構成される。なお、赤色、緑色、青色は一例であり、例えば、白色を加えた４つの副画素で１画素を構成してもよい。また、副画素をシアン、マゼンダ、イエローなど、他の色で構成してもよい。画像信号には、例えば、赤色、緑色、青色の各色情報が含まれる。画素が赤色、緑色、青色及び白色の４つの副画素を有する場合、画像処理部１５１は、例えば、赤色、緑色、青色を含む画像信号を、赤色、緑色、青色に白色を加えた表示用信号に変換し、表示用ドライバ１１４へ出力する。
【００６０】
タイミング生成部１５２は、表示用ドライバ１１４及びＰＤＬＣドライバ１１６に対し、タイミング信号を出力する。例えば、走査に用いる垂直同期信号及び水平同期信号である。タイミング信号は、例えば、クロック信号をカウントして生成する。表示用ドライバ１１４は、タイミング信号に合わせて、画像処理部１５１から取得した表示用信号を用いて画像走査を行う。ＰＤＬＣドライバ１１６は、タイミング信号に合わせて、領域電極に駆動電圧を印加する。これにより、駆動電圧を印加した領域電極のＰＤＬＣ１３３１が散乱状態に制御される。
【００６１】
画像解析部１５３は、画像信号を入力し、領域ごとに要求輝度値を算出する。要求輝度値は、例えば、画像信号に基づき、当該領域の表示に要求されるバックライトの輝度である。要求輝度値は、ローカルディミングを行う際、ＰＤＬＣ層１３３の各領域から出射されるバックライト光の輝度の指標となる。なお、バックライト光の輝度を制御する場合には、バックライトの輝度に合わせて、画像処理部１５１の表示用信号を補正するとしてもよい。
【００６２】
光源データ記憶部１５４は、バックライトの輝度を領域ごとに記録した輝度分布テーブルを記憶する。輝度分布テーブルは、図７のグラフに示す領域とバックライトの輝度との関係を示すテーブルである。例えば、光源１４０を所定の駆動電流で駆動し、領域を同じ条件で駆動する。そのときに導光部１３０から出射される光の輝度を測定し、バックライトの輝度値として用いる。バックライトの輝度値は、入射した光の輝度に応じた値となる。輝度分布テーブルは、領域の識別番号に対応付けて、バックライトの輝度値を登録したものである。輝度分布テーブルは、予めバックライトの輝度値を測定して用意しておく。
【００６３】
駆動パターン決定部１５５は、画像解析部１５３から取得した要求輝度値と、輝度分布テーブルとに基づき、領域の駆動パターンを決定する。各領域を所定の電圧で所定の時間駆動したときに得られるバックライト光の輝度は、輝度分布テーブルから求めることができる。駆動パターン決定部１５５は、例えば、主点灯期間に割り当てられた領域の散乱時間に得られるバックライト光の輝度を算出する。そして、駆動パターン決定部１５５は、算出されたバックライト光の輝度が要求輝度値に足りないとき、足りない分の輝度値を得るために、当該領域に必要な散乱時間を算出する。輝度アップ期間を、輝度が足りない領域に割り当て、各領域が要求輝度値を満たすように駆動パターンを決める。また、例えば、すべての領域で要求輝度値が最大となるときの駆動パターンを予め作成しておき、作成された駆動パターンを要求輝度値に応じて補正するとしてもよい。駆動パターンは、例えば、光源１４０を駆動する駆動電流の大きさや、ＰＤＬＣドライバ１１６が対応する領域電極に駆動電圧を印加する散乱時間などの設定を含む。
【００６４】
このような構成の各部の駆動タイミングについて説明する。
図１０は、第２の実施の形態の表示装置の各機能部の駆動タイミングを示す図である。図１０は、１フレーム期間における垂直同期信号Ｖｓｙｎｃ、水平同期信号Ｈｓｙｎｃ、画像信号ＤＥ、表示用ドライバ１１４による画像走査及びＰＤＬＣドライバ１１６のバックライト走査のタイミングを示す。
【００６５】
表示装置１００の画像走査及びバックライト走査は、垂直同期信号Ｖｓｙｎｃが作るタイミングで駆動する。垂直同期信号Ｖｓｙｎｃの立下りから次の垂直同期信号Ｖｓｙｎｃの立下りまでが１フレームになる。水平同期信号Ｈｓｙｎｃは、ＬＣＤパネル１２０の１ラインの切り替えタイミングを作る信号である。
【００６６】
信号処理部１５０は、垂直同期信号Ｖｓｙｎｃに基づくタイミングで画像信号ＤＥの入力を開始する。信号処理部１５０に入力した画像信号ＤＥに信号処理が施され、表示用ドライバ１１４に送られる。表示用ドライバ１１４は、水平同期信号Ｈｓｙｎｃに同期し、ＬＣＤパネル１２０に１ライン分の信号を書き込む処理を繰り返し、画像走査を行う。画像走査は、領域ＣＨ１から領域ＣＨ１０に向けて順次行う。
【００６７】
画像解析部１５３は、順次入力する画像信号ＤＥを取得し、１領域分の信号が揃った時点で要求輝度値を算出する。駆動パターン決定部１５５は、要求輝度値に基づき、駆動パターンを決定する。領域に対応する画像信号ＤＥの取得から駆動パターン決定までの処理は、表示用ドライバ１１４が同じ領域について画像走査を行っている期間に実行する。駆動パターン決定部１５５は、決定した駆動パターンを用いて、ＰＤＬＣドライバ１１６及び光源ドライバ１１５を制御する。
【００６８】
水平同期信号Ｈｓｙｎｃに同期し、表示用ドライバ１１４が画像走査を行った次の領域の画像走査を行う期間に、ＰＤＬＣドライバ１１６は、画像走査が終了した領域の領域電極に駆動電圧を印加し、当該領域を散乱状態にする。
【００６９】
図１０の例では、領域ＣＨ１の画像走査が終了し、領域ＣＨ２の画像走査が行われている期間に、領域ＣＨ１の光変調層が散乱状態となる（領域ＣＨ１のバックライト走査が行われる）。その後、画像走査に同期して、領域ＣＨ２のバックライト走査から領域ＣＨ１０のバックライト走査が順次行われる。
【００７０】
このように、表示装置１００では、表示用ドライバ１１４による画像走査期間に、当該領域の画像信号に基づく駆動パターンを決定する。これにより、画像信号ＤＥの解析のため、画像信号ＤＥを一時記憶しておくフレームメモリを設けることなく、画像信号ＤＥに合わせてバックライトの輝度を制御することができる。
【００７１】
なお、以下では、上記の画像走査に同期して実行するバックライト走査の期間を主点灯期間とする。主点灯期間では、画像走査に同期してバックライト走査を行うため、領域を散乱状態にする散乱時間は全領域で同じになる。図７に示すように、領域に入射する光の輝度は、領域と光源１４０との位置が遠くなるほど低下する。したがって、光源１４０及びＰＤＬＣ層１３３を同じ条件で駆動した場合、主点灯期間における領域のバックライト光の輝度は、図７に示す入射する光の輝度と同様に低下する。表示装置１００では、垂直ブランキング期間に対応する期間を輝度アップ期間とし、領域の輝度アップを図っている。
【００７２】
駆動パターン決定部１５５では、主点灯期間及び輝度アップ期間におけるバックライト走査により、フレーム期間におけるバックライト光の輝度が、領域ごとに所望の要求輝度値となるように、駆動パターンを決定する。
【００７３】
以下、駆動パターンの一例として、すべての領域の要求輝度が同じであった場合について説明する。駆動パターン決定部１５５は、すべての領域の輝度が均一となるように駆動パターンを決定する。
図１１は、第２の実施の形態の表示装置の駆動パターンの一例を示す図である。図１１の縦方向の列は、領域ＣＨ１，・・・，ＣＨ１０を示し、横方向の行は、経過時間を示す。各領域ＣＨ１，・・・，Ｈ１０を示す行において、何も記載されていない時間帯は、当該領域を透過状態にしている期間である。また、斜線で示す時間帯は、当該領域が散乱状態に制御されている時間帯である。光源電流は、光源１４０に供給する駆動電流を示す。また、太点線は、画像走査を示す。
【００７４】
図１１の例では、光源１４０には、一定の光源電流が供給される。光源電流が一定であるため、光源１４０が発光する光の輝度は一定である。
表示用ドライバ１１４は、画像走査期間に、光源１４０から遠いＣＨ１からＣＨ１０に向かって画像走査を行う。画像走査は、領域ごとに、１ラインずつ走査を行う。領域の全ラインの走査が終了するのに要する走査期間ｔｓは、共通である。また、垂直ブランキング期間には、画像の書き込みを行わない。
【００７５】
ＰＤＬＣドライバ１１６は、１フレーム期間と同じバックライト走査期間で領域ＣＨ１，・・・，ＣＨ１０の走査を行う。なお、バックライト走査は、タイミング信号に基づいて、画像走査と同方向に、領域ＣＨ１から領域ＣＨ１０に向かって順に行われる。このとき、バックライト走査は、領域の画像走査の終了後に開始される。バックライト走査対象の領域では、対象の領域を散乱状態に切り替える。一方、他の領域を透過状態にする。これにより、対象の領域だけがバックライト光を出射する。
【００７６】
図１１の例では、表示用ドライバ１１４による領域ＣＨ１の画像走査が終了し、次の領域ＣＨ２の走査期間ｔｓの間、ＰＤＬＣドライバ１１６によって領域ＣＨ１が散乱状態に切り替わる。この間、他の領域は、透過状態に制御される。続いて、表示用ドライバ１１４による領域ＣＨ３の走査期間ｔｓに、ＰＤＬＣドライバ１１６は領域ＣＨ２を散乱状態に制御する。このような処理を繰り返し、領域ＣＨ１，・・・，ＣＨ１０をそれぞれ走査期間ｔｓの間、順次散乱状態とし、主点灯期間を終了する。
【００７７】
駆動パターン決定部１５５は、輝度アップ期間において、各領域の輝度アップを図る駆動パターンを決定する。図１１の例では、光源１４０に最も近い領域ＣＨ１０を走査期間ｔｓの間、散乱状態としたときに得られる輝度を基準とし、全領域の輝度を均一にするための駆動パターンを決定する。駆動パターン決定部１５５は、例えば、領域が主点灯期間に得られる輝度を輝度分布テーブルに基づいて算出する。そして、算出した領域の輝度と、基準の輝度との差に基づき、輝度アップ期間における領域の散乱時間を算出する。図１１に示す駆動パターンでは、光源１４０からの距離が最も遠い領域ＣＨ１の散乱時間ｔｂ１が最大である。そして、領域ＣＨ１，ＣＨ２，ＣＨ３，・・・，ＣＨ９の順に散乱時間ｔｂ１＞ｔｂ２＞ｔｂ３＞・・・＞ｔｂ９と、散乱時間を減少させている。ＰＤＬＣドライバ１１６は、駆動パターンに基づき、領域ＣＨ１，・・・，ＣＨ１０を順次散乱状態に制御し、輝度アップを図る。なお、図１１の例では、輝度アップ期間における光源電流を主点灯期間における電流値と同じにしているが、電流値は適宜設定される。例えば、輝度アップを図るため、輝度アップ期間における光源電流を主点灯期間より大きくすることもできる。このとき、輝度アップされる領域ＣＨ９から領域ＣＨ１が、領域ＣＨ１０の主点灯期間におけるバックライト光の輝度を超えるときは、領域ＣＨ１０について散乱時間を設けて輝度アップを行う。
【００７８】
このような駆動制御により、全領域におけるバックライト光の輝度の均一化を図ることができる。また、主点灯期間に画像走査に合わせて散乱時間を設け、垂直ブランキング時間に輝度アップ期間を設けない場合に、輝度を均一化するためには、バックライト光の輝度を最も低い領域に合わせる制御を行わなければならない。このように、輝度アップ期間を設けることにより、全体的により高い輝度を得ることができる。
【００７９】
図１２は、第２の実施の形態の表示装置のバックライト輝度分布の一例を示す図である。図１２の縦軸はバックライト光の輝度を示し、横軸は光源１４０からの距離を示す。ＣＨ１０〜ＣＨ１は、各領域を示す。
【００８０】
図１２の太点線は、領域ＣＨ１，・・・，ＣＨ１０を光源１４０の輝度と、領域電極の駆動条件を同じにして駆動したときに得られる光源輝度分布を示している。光源１４０から遠くなるにしたがって、輝度が低下している。図１２に示すように、光源１４０から距離に応じた輝度の低下量に基づいて、低下量を補正する駆動パターンを算出し、領域ＣＨ１，・・・，ＣＨ１０を駆動する。これにより、光源１４０から離れた領域の輝度をアップし、実線で示すバックライト輝度分布を得ることができる。
【００８１】
このように、輝度アップ期間に、光源１４０から距離に応じた散乱時間で領域を順次散乱状態にすることにより、バックライト光の輝度の均一化が図れる。また、主点灯期間に加え、輝度アップ期間に輝度を上げることができるので、バックライト全体の輝度アップが可能となる。
【００８２】
また、画像走査が終了後にＰＤＬＣ１３３１を散乱状態にするため、フレームメモリを用いることなく、ローカルディミング処理を行うことができる。すなわち、画像走査が行われている間に、画像解析部１５３は、画像処理部１５１と同時に入力する画像信号に基づいて要求輝度値を求める。駆動パターン決定部１５５は、要求輝度値に基づく駆動パターンを決定し、ＰＤＬＣドライバ１１６に指示する。
【００８３】
ここで、領域を散乱状態にする領域電極の駆動について説明する。図１３は、第２の実施の形態の電極駆動の一例を示す図である。図１３の縦軸は、図５に示した各端子に印加される電圧値を示している。図１３の横軸は、経過時間を示している。また、主点灯期間を分割する点線は、それぞれの領域に割り当てられた割当駆動期間を示す。
【００８４】
図１３において、例えば、各々のバックライト走査期間が１フレームとされる。
ここで、領域電極の下電極１３５側には、−Ｖ［Ｖ］と＋Ｖ［Ｖ］の電圧がフレームごとに反転する電圧Ｖｃｏｍが供給される。領域ＣＨ１，・・・，ＣＨ１０は、Ｖｃｏｍと極性が反対の電圧が印加された期間において、対応するＰＤＬＣ１３３１に２＊Ｖ［Ｖ］の電圧が印加される。このとき、ＰＤＬＣ１３３１は、散乱状態となる。一方、Ｖｃｏｍと同じ電圧が印加されているときは、ＰＤＬＣ１３３１に印加される電圧は０［Ｖ］である。このとき、ＰＤＬＣ１３３１は、透過状態になる。
【００８５】
表示装置１００では、図１３に示すように、主点灯期間は、画像走査に同期して、領域電極の上電極１３４側に、順にＶｃｏｍと極性が反対の電圧が印加される。このように、領域電極の上電極１３４側と下電極１３５側に電圧差が生じるように電圧を印加することを、「駆動電圧を印加する」と呼ぶ。
図１３の例では、輝度アップ期間を、光源１４０からの距離が最も遠い領域の散乱時間を最大とし、距離が短くなるにしたがって散乱時間が短くなるように配分している。図１３の例では、主点灯期間において、領域ＣＨ１にＶｃｈ１を印加する時間から領域ＣＨ１０にＶｃｈ１０を印加する時間まで、各領域を駆動する時間は同じである。輝度アップ期間には、光源１４０から最も遠い領域ＣＨ１にＶｃｈ１を印加する時間が最も長く、距離に応じて駆動電圧を印加する時間が短くなるように、時間配分が設定されている。
【００８６】
上記のように領域に対応する領域電極に印加する電圧を制御することによって、領域を散乱状態と、透過状態とに制御することができる。
ところで、図１１の例では、光源１４０から遠い領域ＣＨ１から画像走査を行うとしたが、光源１４０から近い領域ＣＨ１０から画像走査を開始するとしてもよい。この場合、ＰＤＬＣドライバ１１６によるバックライトの走査も領域ＣＨ１０から開始される。図１４は、第２の実施の形態の表示装置の駆動パターンの他の例を示す図である。走査順が異なることを除き、図１１と同様である。
【００８７】
図１４の例では、表示用ドライバ１１４は、画像走査期間に、光源１４０から近いＣＨ１０からＣＨ１に向かって順次画像走査を行う。ＰＤＬＣドライバ１１６によるバックライト走査は、画像走査と同期して行われる。図１４の例では、表示用ドライバ１１４による領域ＣＨ１０の画像走査を終了した次の領域ＣＨ９の走査期間ｔｓに、ＰＤＬＣドライバ１１６は、領域ＣＨ１０を散乱状態に制御する。同様に、領域ＣＨ９から領域ＣＨ１までを順次、画像走査が終了した次の領域の画像走査期間ｔｓの間、散乱状態に制御する。こうして、主点灯期間には、領域ＣＨ１０〜ＣＨ１は、画像走査期間ｔｓの間、散乱状態に制御される。
【００８８】
駆動パターン決定部１５５は、輝度アップ期間において、各領域の輝度アップを図る駆動パターンを決定する。図１４の例では、図１１の例と同様に、光源１４０に最も近い領域ＣＨ１０の輝度を基準とし、全領域の輝度を均一にするための駆動パターンを決定する。図１４に示す駆動パターンでは、光源１４０からの距離が領域ＣＨ１０に次いで近い領域ＣＨ９の散乱時間ｔｂ９を最小とし、領域ＣＨ８の散乱時間ｔｂ８の散乱時間ｔｂ８から領域ＣＨ１の散乱時間ｔｂ１まで、距離に応じて散乱時間を増やしている。ＰＤＬＣドライバ１１６は、駆動パターンに基づき、領域ＣＨ１０〜ＣＨ１を順次散乱状態に制御し、輝度アップを図る。
【００８９】
輝度アップ期間に、ＰＤＬＣドライバ１１６は、領域ＣＨ１０〜ＣＨ１の順に、光源１４０からの距離に応じた散乱時間で領域を散乱状態に制御する。このような順に走査を行った場合も、画像走査が終了後にＰＤＬＣ１３３１を散乱状態にするため、フレームメモリを用いることなく、ローカルディミング処理を行うことができる。
【００９０】
なお、領域について画像走査が終了した後に当該領域のバックライト光を点灯することによって、フレームメモリなしでローカルディミングが可能となるばかりでなく、画質の低下を抑制することができる。同じ領域において画像走査とバックライト走査を同時に行う場合、領域の画像がすべて新しい画像に切り替わる前の状態の画面が視認されてしまう。画像走査が終了後にバックライト走査を行うことにより、領域の画像信号が更新された状態でバックライトが点灯するため、利用者は更新された画面を視認することができる。さらに、領域は、主点灯期間及び輝度アップ期間に割り当てられた時間だけバックライトが点灯され、あとの期間は消灯しているため、ホールド表示に伴う動画ボケを軽減することができる。
【００９１】
上記の第１の実施の形態及び第２の実施の形態では、分割領域が配置される方向の一方の側に光源を配置する構成について説明した。ＰＤＬＣは、電場を印加していないときは、透過状態であり、分割領域に入射した光は、光の進行方向に次の分割領域に進む。領域を散乱状態にするときは、他の領域は透過状態に制御される。したがって、第１の実施の形態及び第２の実施の形態において光源が配置されていない側から入射した光も、散乱状態となっている領域まで進行する。このように、反対側から入射した光も利用することができる。以下、２つの光源を配置した実施の形態について説明する。
【００９２】
［第３の実施の形態］
第３の実施の形態について説明する。図１５は、第３の実施の形態の表示装置の構成の一例を示す図である。第３の実施の形態の表示装置２０は、図１に示す第１の実施の形態の表示装置１の光源６を、第１光源６１及び第２光源６２に、制御部７を制御部７１に置き換えた構成である。図１と同じものには同じ符号を付し、説明は省略する。
【００９３】
第１光源６１は、光変調層４の第１側面の近傍に配置され、第１側面から光変調層４内に進行する光を発光する。図７に示したように、第１光源６１から分割領域４ｄに入射する光の輝度を基準として、分割領域４ｃ、分割領域４ｂ、分割領域４ａの順に輝度が低下する。第１光源６１は、制御部７１に接続し、制御部７１によって発光のオン・オフと、発光時の光量が制御される。
【００９４】
第２光源６２は、第１側面と対向する第２側面の近傍に配置され、第２側面から光変調層４内に進行する光を発光する。第１光源６１の光の進行方向と、第２光源６２の光の進行方向は、互いに逆方向となる。第２光源６２から分割領域４ａに入射する光の輝度を基準として、分割領域４ｂ、分割領域４ｃ、分割領域４ｄの順に輝度が低下する。第２光源６２は、制御部７１に接続し、制御部７１によって発光のオン・オフと、発光時の光量が制御される。
【００９５】
制御部７１は、画像表示パネル２のフレーム周期に同期して、部分電極３ａ，３ｂ，３ｃ，３ｄと対応する第２電極５との間の分割領域の駆動と、第１光源６１及び第２光源６２の駆動を制御する。制御部７１は、例えば、ＣＰＵなどのプロセッサである。制御部７１は、フレーム周期ごとに、分割領域４ａ，４ｂ，４ｃ，４ｄを所定の順に選択し、バックライト走査を行う。このとき、選択した分割領域が所望の要求輝度を得られるように、選択した分割領域の第１光源６１からの距離と、第２光源６２からの距離に基づき、第１電極３及び第２電極５と、第１光源６１及び第２光源６２を制御する。
【００９６】
表示装置２０の動作の一例について説明する。
表示装置２０は、フレーム周期ごとに、画像走査とバックライト走査を行う。画像表示パネル２への画像走査は、表示領域２ａ，２ｂ，２ｃ，２ｄの順または逆順に行われる。制御部７１は、画像走査が行われた順に、分割領域４ａ，４ｂ，４ｃ，４ｄを選択し、選択した分割領域を散乱状態に制御する。このとき、分割領域４ａ，４ｂ，４ｃ，４ｄに入射する第１光源６１からの光の輝度に関する入射面における輝度からの低下量は、第１の側面からの距離に応じて決まる。同様に、分割領域４ａ，４ｂ，４ｃ，４ｄに入射する第２光源６２からの光の輝度に関する入射面における輝度からの低下量は、第２側面からの距離に応じて決まる。よって、分割領域４ａ，４ｂ，４ｃ，４ｄに入射する第１光源６１及び第２光源６２からの光の輝度の低下量は、第１の側面からの距離と第２側面からの距離に基づいて、算出することができる。制御部７１は、分割領域４ａ，４ｂ，４ｃ，４ｄにおける光の輝度の低下量を補正するように、第１光源６１と、第２光源６２と、第１電極３及び第２電極５を制御する。例えば、第１光源６１及び第２光源６２を両方点灯して、分割領域４ａ，４ｂ，４ｃ，４ｄに入射する光の輝度をアップする。また、第１光源６１及び第２光源６２の光源電流を制御し、少なくとも一方が発光する光の輝度を上げるとしてもよい。また、分割領域４ａ，４ｂ，４ｃ，４ｄにおける散乱時間を調整してもよい。制御部７１は、第１光源６１、第２光源６２及び部分電極３ａ，３ｂ，３ｃ，３ｄの少なくとも１つを、分割領域４ａ，４ｂ，４ｃ，４ｄが所望の輝度となるように制御する。
【００９７】
なお、制御部７１は、画像走査が終了した表示領域２ａ，２ｂ，２ｃ，２ｄに対応する分割領域４ａ，４ｂ，４ｃ，４ｄを選択し、バックライト走査を行うようにするとしてもよい。同一の分割領域について、バックライト走査を画像走査の終了時まで遅延させることにより、バックライト走査前に、画像走査に用いた画像信号を用いてバックライト光の要求輝度値を算出しておくことができる。これにより、フレームメモリを設けることなく、ローカルディミング処理を行うことが可能となる。また、第２の実施の形態と同様に、動画ぼけなどの画質低下を抑制することができる。
【００９８】
このように、表示装置２０は、第１光源６１及び第２光源６２からの距離に応じた輝度に基づき、分割領域４ａ，４ｂ，４ｃ，４ｄの散乱時間、第１光源６１及び第２光源６２のオン・オフと発光量のうち、少なくとも１つを制御する。これにより、第１光源６１及び第２光源６２からの距離によらず、分割領域４ａ，４ｂ，４ｃ，４ｄの輝度を均一にすることができる。
【００９９】
［第４の実施の形態］
第４の実施の形態の表示装置について説明する。図１６は、第４の実施の形態の表示装置の構成を示す斜視図である。第４の実施の形態の表示装置２００は、図２に示す第２の実施の形態の表示装置１００の光源１４０と同じ位置に配置される第１光源２４１に加え、第２光源２４２を設けた構成である。図２と同じものには同じ符号を付し、説明は省略する。
【０１００】
第４の実施の形態の表示装置２００は、導光部１３０にＬＣＤパネル１２０が積層される厚み方向の側面のうち、対向する第１側面と第２側面の近傍にそれぞれ光源が配置される。
【０１０１】
第１光源２４１は、第１側面の近傍に配置され、導光部１３０内に進行する光を発光する。図１６の例では、第１光源２４１は、領域ＣＨ１０に近接して配置される。第１光源２４１から導光部１３０に入射した光は、領域ＣＨ１０から領域ＣＨ１に向けて導光部１３０内を進行する。また、導光部１３０内を進行するにしたがって、光の輝度が第１側面入射時における輝度から低下する。第１光源２４１が発光する光の輝度は、第１光源２４１に供給される光源電流によって制御される。
【０１０２】
第２光源２４２は、第２側面の近傍に配置され、導光部１３０内に進行する光を発光する。図１６の例では、第２光源２４２は、領域ＣＨ１に近接して配置される。第２光源２４２から導光部１３０に入射した光は、領域ＣＨ１から領域ＣＨ１０に向けて導光部１３０内を進行する。導光部１３０内を進行するにしたがって、光の輝度が第２側面入射時における輝度から低下する。第２光源２４２が発光する光の輝度は、第２光源２４２に供給される光源電流によって制御される。
【０１０３】
導光部１３０は、第１光源２４１及び第２光源２４２とともに、バックライト部を形成する。
なお、以下の説明では、便宜的に、第１光源２４１及び第２光源２４２が配列される方向をＸ方向、第１光源２４１の光が進行する方向をＹ方向、導光部１３０とＬＣＤパネル１２０が積層される方向をＺ方向として説明する。
【０１０４】
次に、導光部１３０の構成について説明する。図１７は、第４の実施の形態の表示装置の導光部の構成の一例を示す断面図である。図１７は、図１６に示す表示装置２００のＢ−Ｂ’方向の断面図である。なお、図１７において、図３と同じものには同じ符号を付し、説明は省略する。
【０１０５】
第１光源２４１は、導光部１３０の第１側面に近接して配置される。第１光源２４１は、導光部１３０のＸ方向（図１６参照）に延在する線光源であり、均一な光を導光部１３０に向けて発光する。例えば、ＬＥＤをＸ方向に一列に配置して第１光源２４１を形成することができる。第１光源２４１が発光した光は、途中で散乱されない場合には、領域ＣＨ１０，・・・，ＣＨ１の順にＰＤＬＣ層１３３内を進行する。
【０１０６】
第２光源２４２は、導光部１３０の第２側面の近傍に配置される。第２光源２４２は、導光部１３０のＸ方向（図１６参照）に延在する線光源であり、均一な光を導光部１３０に向けて発光する。第２光源２４２が発光した光は、途中で散乱されない場合には、領域ＣＨ１，・・・，ＣＨ１０の順にＰＤＬＣ層１３３内を進行する。
【０１０７】
このように、ＰＤＬＣ層１３３内では、第１光源２４１から入射した光と、第２光源２４２から入射した光とが、互いに逆方向に進行する。
第１光源２４１と第２光源２４２は、それぞれ個別に制御される。
【０１０８】
なお、表示装置２００のＰＤＬＣ１３３１は、図４に示す特性を有する。ＰＤＬＣ１３３１は、領域に形成される領域電極に印加する電圧を制御することによって、領域を散乱状態または透過状態に切り替える。表示装置２００のＰＤＬＣ１３３１は、領域電極に駆動電圧を印加し、電場を発生させたときは散乱状態となる。また、領域電極に駆動電圧を印加しないで電場を発生させなかったときは、透過状態になる。領域電極を形成する上電極１３４及び下電極１３５は、例えば、図５に示す構成をとる。
【０１０９】
また、表示装置２００のハードウェア構成は、図８に示す表示装置１００のハードウェア構成と同様である。ＣＰＵ１１１、ＲＡＭ１１２、ＲＯＭ１１３などを有する制御ユニット１１０を備え、装置全体を制御する。制御ユニット１１０は、ＬＣＤパネル１２０を駆動する表示用ドライバ１１４、第１光源２４１及び第２光源２４２を駆動する光源ドライバ１１５、及び導光部１３０のＰＤＬＣを駆動する領域電極を制御するＰＤＬＣドライバ１１６とバス１１９を介して接続する。制御ユニットがドライバに指示を出力することにより、ＬＣＤパネル１２０、第１光源２４１、第２光源２４２、領域電極を制御することができる。
【０１１０】
図１８は、第４の実施の形態の表示装置の光源からの光の輝度分布を示す図である。図１８は、Ｚ方向（図１６参照）から視認した導光部１３０と、第１光源２４１及び第２光源２４２を示す平面図と、領域の輝度を示すグラフである。グラフの点線は、それぞれ対応する領域の境界を示す。
【０１１１】
ここで、第１光源２４１及び第２光源２４２は、対向する側面からそれぞれ均一な光を導光部１３０に向けて発光する。また、第１光源２４１と第２光源２４２のうち、少なくとも一方は、駆動電流を制御することによって、発光する輝度を制御することができる。
【０１１２】
以下では、第１光源２４１におけるＸ方向の輝度は均一であるとする。また、第１光源２４１を、例えば、複数のＬＥＤで構成し、ＬＥＤごとに発光量を制御するとしてもよい。なお、上記の記述は、第２光源２４２についても同様である。
【０１１３】
図１８に示すように、第１光源２４１の光は、ＰＤＬＣ層１３３内を、領域ＣＨ１０から領域ＣＨ１に向かって進行するにしたがって、輝度が低下する。一方、第２光源２４２が発光する光は、第１光源２４１に対向する導光部１３０の他方の側面からＰＤＬＣ層１３３に入射し、ＰＤＬＣ層１３３内を第１光源２４１とは逆方向に進行するにしたがって、輝度が低下する。なお、図１８の例では、第１光源２４１と第２光源２４２の発光輝度は同じであるとしている。すなわち、第１光源２４１の光が第１側面から入射する時の輝度と、第２光源２４２の光が第２側面から入射するときの輝度とは同じである。
【０１１４】
図１８では、領域における第１光源２４１の光の輝度を太点線で示す。第１光源２４１から導光部１３０に入射する光の輝度は、第１光源２４１からの光が第１側面に入射したときの輝度を基準として、第１側面からの距離に応じて低下する。領域に入射する第１光源２４１からの光の輝度は、ＣＨ１０＞ＣＨ９＞ＣＨ８＞ＣＨ７＞ＣＨ６＞ＣＨ５＞ＣＨ４＞ＣＨ３＞ＣＨ２＞ＣＨ１の順に小さくなる。
【０１１５】
また、領域における第２光源２４２の光の輝度を一点鎖線で示す。第２光源２４２から導光部１３０に入射する光の輝度は、第２光源２４２からの光が第２側面に入射したときの輝度を基準として、第２側面からの距離に応じて低下する。領域に入射する第２光源２４２からの光の輝度は、ＣＨ１＞ＣＨ２＞ＣＨ３＞ＣＨ４＞ＣＨ５＞ＣＨ６＞ＣＨ７＞ＣＨ８＞ＣＨ９＞ＣＨ１０の順に小さくなる。
【０１１６】
合計輝度は、領域に入射した第１光源２４１の光の輝度と、第２光源２４２の光の輝度とを合計した輝度を示す。図１８では、合計輝度を実線で示す。第１光源２４１と第２光源２４２とが図１８に示すような輝度分布を有する場合、合計輝度は、第１光源２４１及び第２光源２４２の中間にあたる中央の領域で低くなる。
【０１１７】
なお、第１光源２４１と第２光源２４２の発光輝度が異なる場合には、合計輝度の輝度分布は、図１８とは異なる。この場合も、第１光源２４１単独の輝度分布と、第２光源２４２単独の輝度分布を合わせることによって、合計輝度を得ることができる。
【０１１８】
図１９は、第４の実施の形態の表示装置の機能構成例を示す図である。図９に示す表示装置１００と同じものには同じ符号を付し、説明は省略する。
表示装置２００では、信号処理部２５０が、画像信号を順次取り込み、表示用信号を生成して、表示用ドライバ１１４を駆動する。また、信号処理部２５０は、画像信号に基づいて、バックライト走査に用いる駆動パターンを生成し、駆動パターンを用いて光源ドライバ２１５及びＰＤＬＣドライバ１１６を駆動する。
【０１１９】
光源ドライバ２１５は、第１光源２４１と、第２光源２４２に接続する。光源ドライバ２１５は、駆動パターンに基づいて第１光源２４１に供給する光源電流を制御し、第１光源２４１からＰＤＬＣ層１３３に入射する光の輝度を制御する。また、光源ドライバ２１５は、駆動パターンに基づいて第２光源２４２に供給する光源電流を制御し、第２光源２４２からＰＤＬＣ層１３３に入射する光の輝度を制御する。なお、光源ドライバ２１５は、第１光源２４１と、第２光源２４２にそれぞれ個別に設けるとしてもよい。
【０１２０】
信号処理部２５０の一例について説明する。信号処理部２５０は、画像処理部１５１、タイミング生成部１５２、画像解析部１５３、光源データ記憶部２５４及び駆動パターン決定部２５５を有する。画像処理部１５１、タイミング生成部１５２、画像解析部１５３及び駆動パターン決定部２５５は、例えば、ＣＰＵなどのプロセッサである。光源データ記憶部２５４は、例えば、ＲＡＭまたはＲＯＭに確保した記憶領域として実現できる。
【０１２１】
画像走査用の信号を生成する画像処理部１５１と、画像走査のタイミング信号を生成するタイミング生成部１５２と、領域の画像信号を解析して要求輝度値を算出する画像解析部１５３については、図９と同様の処理を行う。
【０１２２】
光源データ記憶部２５４は、バックライト光の輝度を領域ごとに記録した輝度分布テーブルを記憶する。光源データ記憶部２５４には、第１光源２４１を単独で点灯したときに得られる第１輝度分布テーブルと、第２光源２４２を単独で点灯したときに得られる第２輝度分布テーブルと、が記憶される。また、必要に応じて、第１光源２４１と第２光源２４２をともに点灯したときに得られる第３輝度分布テーブルを記憶するとしてもよい。
【０１２３】
第１輝度分布テーブルは、例えば、第１光源２４１を所定の光源電流で駆動し、領域を同じ条件で散乱状態にする。同じ条件とは、例えば、領域電極に印加する電圧と、散乱時間を同じにする。このときに領域から出射される光の輝度を測定し、第１輝度分布テーブルを作成する。同様にして、第２光源２４２を所定の光源電流で駆動し、領域を同じ条件で散乱状態にする。このときに領域から出射される光の輝度を計測し、第２輝度分布テーブルを作成する。また、必要に応じて、第１光源２４１と第２光源２４２をともに所定の光源電流で駆動し、領域を同じ条件で散乱状態にする。このときに領域から出射される光の輝度を計測し、第３輝度分布テーブルを作成する。これらの輝度分布テーブルは、例えば、測定された領域における輝度を領域に対応付けて作成される。
【０１２４】
駆動パターン決定部２５５は、画像解析部１５３から取得した要求輝度値と、輝度分布テーブルとに基づき、領域の駆動パターンを決定する。駆動パターンは、例えば、第１光源２４１を駆動する光源電流、第２光源２４２を駆動する光源電流、ＰＤＬＣドライバ１１６が対象の領域の領域電極を駆動する散乱時間、あるいは駆動電圧のうち、少なくとも１つを制御するものである。
【０１２５】
図２０は、第４の実施の形態の表示装置のバックライト部分駆動を示す図である。図２０では、第１光源２４１からＰＤＬＣ層１３３に入射する光Ｌ５を太点線で示す。また、第２光源２４２からＰＤＬＣ層１３３に入射する光Ｌ６を一点鎖線で示す。
【０１２６】
光Ｌ５は、途中で散乱されない場合は、透明基板１３１と透明基板１３２の間で全反射を繰り返しながら、領域ＣＨ１０から領域ＣＨ１に向かうＹ方向に進行する。光Ｌ６は、途中で散乱されない場合は、透明基板１３１と透明基板１３２の間で全反射を繰り返しながら、領域ＣＨ１から領域ＣＨ１０に向かうＹ方向の反対方向に進行する。なお、光Ｌ５及び光Ｌ６は、スペーサ１３３２内は直進する。
【０１２７】
ここで、領域ＣＨ７の領域電極に駆動電圧を印加し、領域ＣＨ７を散乱状態にする。このとき、他の領域は、透過状態にする。光Ｌ５は、透過状態の領域ＣＨ１０，ＣＨ９，ＣＨ８内を進行し、領域ＣＨ７に入射する。領域ＣＨ７は散乱状態であるため、光Ｌ５は散乱する。一方、光Ｌ６は、透過状態の領域ＣＨ１，ＣＨ２，ＣＨ３，ＣＨ４，ＣＨ５，ＣＨ６内を進行し、領域ＣＨ７に入射する。領域ＣＨ７は散乱状態であるため、光Ｌ６は散乱する。第１光源２４１が発光した光Ｌ５と、第２光源２４２が発光した光Ｌ６とは、領域ＣＨ７において散乱され、その一部の光がＬＣＤパネル１２０に向けて出射される。なお、透明基板１３２側に向かった光は、反射シート１３８によってＰＤＬＣ１３３１内に戻される。このとき、導光部１３０は、ＬＣＤパネル１２０側から領域ＣＨ７が点灯し、他の領域が消灯している状態で視認される。
【０１２８】
このように、第１光源２４１と第２光源２４２から入射した光を領域で順次散乱させることによってバックライト走査を行うことができる。２つの光源の光を利用するので、１つの光源を用いる場合と比較し、輝度を向上させることができる。
【０１２９】
第４の実施の形態では、領域の散乱時間を各領域に均等に配分し、第１光源２４１及び第２光源２４２の駆動電流を制御することで、バックライト光の輝度の均一化を図る。なお、以下の説明では、第１光源をＬＳ１、第２光源をＬＳ２とも表記する。
【０１３０】
（１）第１実施例
第１実施例では、第２光源２４２の駆動電流を制御し、バックライト光の輝度の均一化を図る。
【０１３１】
図２１は、第４の実施の形態の表示装置の駆動パターンの第１実施例を示す図である。図１１と同様に、縦方向は領域ＣＨ１，・・・，ＣＨ１０を示し、横方向は経過時間を示す。領域ＣＨ１，・・・，ＣＨ１０において、何も記載されていない時間帯は、当該領域を透過状態にしている。斜線で示す時間帯は、当該領域を散乱状態に駆動している。また、太点線は、画像走査を示す。ｔｓは、１つの領域を画像走査するのに要する時間を示す。ｔｄは、バックライト走査期間において、領域に割り当てられた割当駆動期間を示す。なお、割当駆動期間では、この領域が散乱状態となるように領域電極を制御することができる。割当駆動期間内における領域の散乱時間は、割当駆動期間を最大として適宜制御される。第１実施例では、領域に対し、バックライト走査期間を全領域に均等に配分した割当駆動期間ｔｄが割り当てられている。
【０１３２】
ＬＳ１電流は、第１光源２４１に供給する光源電流を示す。ＬＳ２電流は、第２光源２４２に供給する光源電流を示す。
図２１では、ＬＳ２電流ｉ２１は、領域ＣＨ１を散乱状態にする期間に第２光源２４２に供給する電流値を示す。同様に、領域ＣＨ２，ＣＨ３，ＣＨ４，ＣＨ５，ＣＨ６，ＣＨ７，ＣＨ８，ＣＨ９，ＣＨ１０の割当駆動期間に第２光源２４２に供給するＬＳ２電流をそれぞれｉ２２，ｉ２３，ｉ２４，ｉ２５，ｉ２６，ｉ２７，ｉ２８，ｉ２９，ｉ２１０とする。第１光源２４１に供給するＬＳ１電流ｉ１１は、一定値である。
【０１３３】
第４の実施の形態では、フレーム期間を領域ＣＨ１，・・・，ＣＨ１０で均等に分割して割当駆動期間を設定する。バックライト走査の方向は、画像走査の方向と同じにする。また、バックライト走査は、最初の領域の画像走査が終了してから開始する。
なお、画像走査及びバックライト走査の方向が同じであれば、領域ＣＨ１０から領域ＣＨ１に向かって走査してもよい。
【０１３４】
ここで、図１８に示したように、第１光源２４１と第２光源２４２の発光輝度が同じ場合、第１光源２４１と第２光源２４２の合計輝度は、第１光源２４１及び第２光源２４２の中間にある中央部分の領域で低くなる。図１８の例では、合計輝度は、領域ＣＨ５，ＣＨ６において最も低くなっている。
【０１３５】
第１実施例の駆動パターンでは、輝度が低下する中央部分の領域の割当駆動期間に、第２光源２４２のＬＳ２電流を増加する。図２１では、ＬＳ２電流ｉ２５を最大とし、合計輝度の低下量に応じて、ｉ２５＞ｉ２４＞ｉ２３＞ｉ２２＞ｉ２１となる駆動パターンが設定される。同様に、ＬＳ２電流ｉ２６を最大とし、合計輝度の低下量に応じて、ｉ２６＞ｉ２７＞ｉ２８＞ｉ２９＞ｉ２１０となる駆動パターンが設定される。これにより、第１光源２４１及び第２光源２４２からの距離に応じて領域に入射する第１光源２４１と第２光源２４２の合計輝度の低下量を、第２光源２４２の輝度アップを図ることにより補正することができる。この結果、バックライト光の輝度を全領域で均一にすることが可能となる。
【０１３６】
なお、画像走査と、バックライト走査とは同期しないが、１領域当たりに割り当てられた画像走査期間は、バックライト走査期間よりも短い。これは、バックライト走査期間が１フレームの時間をすべて利用できるのに対し、画像走査期間は垂直ブランキング期間を除いた時間であることによる。このため、バックライト走査を開始する時点では、対象の領域の画像走査は終了している。したがって、バックライト走査を開始する前に、画像信号に基づく駆動パターンを算出しておくことができる。よって、第４の実施の形態の表示装置では、フレームメモリを用いることなく、ローカルディミングが可能である。
【０１３７】
図２２は、第４の実施の形態の表示装置の第１実施例におけるバックライト光の輝度分布を示す図である。
（Ａ）ＬＳ２補正輝度分布は、第１実施例の駆動パターンでバックライト走査を行った場合における第２光源（ＬＳ２）の補正後の輝度分布を説明する図である。
ＬＳ１輝度分布は、第１光源２４１をＬＳ１電流一定として同じ条件で領域を駆動した場合のフレーム期間におけるバックライト光の輝度分布である。ＬＳ２輝度分布は、第２光源２４２をＬＳ２電流一定として同じ条件で領域を駆動した場合の、フレーム期間におけるバックライト光の輝度分布である。全領域を同条件で駆動した場合、入射した光は同様に散乱されるので、図１８に示す輝度分布と同様の輝度分布が得られる。
【０１３８】
ＬＳ２補正輝度分布は、第２光源２４２を第１実施例の駆動パターンで駆動したときに得られるバックライト光の輝度分布を示す。図１８に示すように、ＬＳ１輝度分布とＬＳ２輝度分布を合計した場合、第１光源２４１と第２光源２４２との中間に位置する領域ＣＨ５，ＣＨ６に入射する光の合計輝度が低下する。第１実施例の駆動パターンでは、合計輝度が低下する領域ＣＨ５，ＣＨ６の割当駆動期間におけるＬＳ２電流ｉ２５，ｉ２６を他の領域の割当駆動期間におけるＬＳ２電流より大きくなるように設定している。これにより、ＬＳ２補正輝度分布に示すように、第２光源２４２の領域ＣＨ５，ＣＨ６におけるバックライト光の輝度をアップさせることができる。
【０１３９】
（Ｂ）合計輝度分布は、第１実施例の駆動パターンで補正を行った後の領域のバックライト光の輝度分布を示す。補正後のＬＳ２補正輝度分布と、ＬＳ１輝度分布とを合計し、全領域で均一な合計輝度分布を得ることができる。
【０１４０】
（２）第２実施例
第２実施例では、第１光源２４１の駆動電流を制御し、バックライト光の輝度の均一化を図る。
【０１４１】
図２３は、第４の実施の形態の表示装置の駆動パターンの第２実施例を示す図である。図２１と同じものには同じ名称を付し、説明を省略する。また、領域に対応する時間帯の記載と、太点線が画像走査を示すことも図２１と同様である。
【０１４２】
第２実施例は、第１光源２４１の駆動電流を制御することを除き、バックライト走査は第１実施例と同様に行う。第２実施例の駆動パターンでは、輝度が低下する中央部分の領域のバックライト走査を行う期間に、第１光源２４１のＬＳ１電流を増加する。図２３では、ＬＳ１電流ｉ１５を最大とし、合計輝度の低下量に応じて、ｉ１５＞ｉ１４＞ｉ１３＞ｉ１２＞ｉ１１となる駆動パターンが設定される。同様に、ＬＳ１電流ｉ１６を最大とし、合計輝度の低下量に応じて、ｉ１６＞ｉ１７＞ｉ１８＞ｉ１９＞ｉ１１０となる駆動パターンが設定される。これにより、第１光源２４１及び第２光源２４２からの距離に応じて領域に入射する第１光源２４１と第２光源２４２の合計輝度の低下量を、第１光源２４１のＬＳ１電流により補正することができる。この結果、バックライト光の輝度を全領域で均一にすることが可能となる。
【０１４３】
図２４は、第４の実施の形態の表示装置の第２実施例におけるバックライト光の輝度分布を示す図である。
（Ａ）ＬＳ１補正輝度分布は、第２実施例の駆動パターンでバックライト走査を行った場合における第１光源２４１の補正後の輝度分布を説明する図である。ＬＳ１輝度分布及びＬＳ２輝度分布は、図２２と同様である。
【０１４４】
ＬＳ１補正輝度分布は、第１光源２４１を第２実施例の駆動パターンで駆動したときに得られるバックライト光の輝度分布を示す。第２実施例の駆動パターンでは、合計輝度が低下する領域ＣＨ５，ＣＨ６のＬＳ１電流ｉ１５，ｉ１６を最大としてＬＳ１電流を調整している。これにより、ＬＳ１補正輝度分布に示すように、第１光源２４１の領域ＣＨ５，ＣＨ６におけるバックライト光の輝度をアップさせることができる。
【０１４５】
（Ｂ）合計輝度分布は、第２実施例の駆動パターンで補正を行った後の領域のバックライト光の輝度分布を示す。補正後のＬＳ１補正輝度分布と、ＬＳ２輝度分布とを合計し、全領域で均一な合計輝度分布を得ることができる。
【０１４６】
（３）第３実施例
第３実施例では、第１光源２４１のＬＳ１電流及び第２光源２４２のＬＳ２電流を制御し、バックライト光の輝度の均一化を図る。
図２５は、第４の実施の形態の表示装置の駆動パターンの第３実施例を示す図である。図２１と同じものには同じ名称を付し、説明を省略する。
【０１４７】
第３実施例は、第１光源２４１のＬＳ１電流及び第２光源２４２のＬＳ２電流を制御することを除き、バックライト走査は第１実施例と同様に行う。第３実施例の駆動パターンでは、輝度が低下する中央部分の領域のバックライト走査を行う期間に、第１光源２４１のＬＳ１電流及び第２光源２４２のＬＳ２電流を増加する。
【０１４８】
図２５に示すように、第１光源２４１については、ＬＳ１電流ｉ１５を最大とし、合計輝度の低下量に応じて、ｉ１５＞ｉ１４＞ｉ１３＞ｉ１２＞ｉ１１となる駆動パターンが設定される。同様に、ＬＳ１電流ｉ１６を最大とし、合計輝度の低下量に応じて、ｉ１６＞ｉ１７＞ｉ１８＞ｉ１９＞ｉ１１０となる駆動パターンが設定される。
【０１４９】
また、第２光源２４２については、ＬＳ２電流ｉ２５を最大とし、合計輝度の低下量に応じて、ｉ２５＞ｉ２４＞ｉ２３＞ｉ２２＞ｉ２１となる駆動パターンが設定される。同様に、ＬＳ２電流ｉ２６を最大とし、合計輝度の低下量に応じて、ｉ２６＞ｉ２７＞ｉ２８＞ｉ２９＞ｉ２１０となる駆動パターンが設定される。
【０１５０】
これにより、第１光源２４１及び第２光源２４２からの距離に応じて領域に入射する第１光源２４１と第２光源２４２の合計輝度の低下量を、第１光源２４１のＬＳ１電流及び第２光源２４２のＬＳ２電流を制御して輝度アップする。この結果、バックライト光の輝度を全領域で均一にすることが可能となる。なお、第３実施例では、領域におけるバックライト光の低下量を、第１光源２４１及び第２光源２４２の２つの光源で補正する。したがって、光源１台当たりの駆動電流の増加量を抑えることができる。このため、駆動電流を増加する際に、第１光源２４１、及び第２光源２４２にかかる負荷を軽減することができる。
【０１５１】
図２６は、第４の実施の形態の表示装置の第３実施例におけるバックライト光の輝度分布を示す図である。
（Ａ）ＬＳ１，ＬＳ２補正輝度分布は、第３実施例の駆動パターンでバックライト走査を行った場合における第１光源２４１及び第２光源２４２の補正後の輝度分布を説明する図である。ＬＳ１輝度分布及びＬＳ２輝度分布は、図２２と同様である。
【０１５２】
ＬＳ１補正輝度分布は、第１光源２４１を第３実施例の駆動パターンで駆動したときに得られるバックライト光の輝度分布を示す。第３実施例の駆動パターンでは、合計輝度が低下する領域ＣＨ５，ＣＨ６の割当駆動期間に、ＬＳ１電流ｉ１５，ｉ１６を最大として駆動電流を調整している。また、ＬＳ２補正輝度分布は、第２光源２４２を第３実施例の駆動パターンで駆動したときに得られるバックライト光の輝度分布を示す。第３実施例の駆動パターンでは、合計輝度が低下する領域ＣＨ５，ＣＨ６の割当駆動期間におけるＬＳ２電流ｉ２５，ｉ２６を最大としてＬＳ２電流を調整している。なお、第１光源２４１のＬＳ１電流と、第２光源２４２のＬＳ２電流は、合わせてバックライト光の輝度の低下量を補正するように設定する。これにより、ＬＳ１補正輝度分布に示すように、第１光源（ＬＳ１）２４１の領域ＣＨ５，ＣＨ６におけるバックライト光の輝度をアップさせることができる。
【０１５３】
（Ｂ）合計輝度分布は、第３実施例の駆動パターンで補正を行った後の領域のバックライト光の輝度分布を示す。補正後のＬＳ１補正輝度分布と、ＬＳ２補正輝度分布とを合計し、全領域で均一な合計輝度分布を得ることができる。
【０１５４】
なお、上記の実施例では、図１８に示すように、領域に入射する光の輝度と、光が入射する入射面からの距離との関係が、第１光源２４１と、第２光源２４２とで同様である場合について説明した。図１８の例では、第１光源２４１の輝度分布と、第２光源２４２の輝度分布は、表示面の中央である領域ＣＨ５と領域ＣＨ６の境界線で線対称となっている。しかしながら、第４の実施の形態の表示装置はこれに限定されない。第４の実施の形態では、領域のバックライト光の輝度の低下量と、駆動対象の光源を所定の駆動電流で駆動したときのバックライト光の輝度分布とに基づき、輝度の低下量を補正する駆動電流を算出する。
【０１５５】
このように、第１実施例、第２実施例及び第３実施例では、光源の駆動電流を制御してバックライト光の輝度の均一化を図る。しかしながら、第４の実施の形態の表示装置の駆動パターンはこれに限定されない。以下では、第４の実施の形態の表示装置と同様の構成を有する表示装置が他の駆動パターンを用いてバックライト制御を行う実施の形態について説明する。なお、以下で説明する実施の形態の表示装置は、図１６に示す表示装置２００と同様の構成である。導光部１３０の対向する側面の近傍にそれぞれ第１光源２４１と第２光源２４２が配置される。また、第１光源２４１及び第２光源２４２の輝度分布及び合計輝度は、図１８と同様である。
【０１５６】
［第５の実施の形態］
第５の実施の形態の表示装置について説明する。第５の実施の形態では、領域に割り当てる割当駆動期間を制御してバックライト光の輝度の均一化を図る。
【０１５７】
図２７は、第５の実施の形態の表示装置における駆動パターンの一例を示す図である。図２１と同じものには同じ名称を付し、説明を省略する。また、領域に対応する時間帯の記載と、太点線が画像走査を示すことも図２１と同様である。図２７は、図１８に示すように、第１光源２４１と第２光源２４２の合計輝度が、第１光源２４１及び第２光源２４２の中間にある中央部分の領域で低くなる場合の一例である。
【０１５８】
第５の実施の形態の駆動パターンでは、バックライト走査の方向は、画像走査の方向と同じにする。また、第１光源２４１を駆動するＬＳ１電流ｉｃ１と、第２光源２４２を駆動するＬＳ２電流ｉｃ２を一定の電流値とし、割当駆動期間ｔｄを制御する。ｔｄ１は、バックライト走査期間において、領域ＣＨ１に割り当てられた割当駆動期間を示す。同様に、領域ＣＨ２，ＣＨ３，ＣＨ４，ＣＨ５，ＣＨ６，ＣＨ７，ＣＨ８，ＣＨ９，ＣＨ１０に割り当てる割当駆動期間をそれぞれｔｄ２，ｔｄ３，ｔｄ４，ｔｄ５，ｔｄ６，ｔｄ７，ｔｄ８，ｔｄ９，ｔｄ１０と表記する。なお、ｔｓは、１つの領域を画像走査するのに要する時間を示す。第５の実施の形態では、領域に入射する光の合計輝度に基づき、要求輝度が得られる割当駆動期間ｔｄを決めるので、散乱時間は割当駆動期間になる。
【０１５９】
図２７に示すように、第５の実施の形態の駆動パターンでは、領域に入射する光の合計輝度が低下する中央部分の領域の割当駆動期間ｔｄ５を合計輝度の低下量に応じて長く設定する。第５の実施の形態の駆動パターンでは、中央部分の領域ＣＨ５，ＣＨ６の割当駆動期間ｔｄ５，ｔｄ６を長くすることによって、バックライト光の輝度をアップする。図２７では、領域における割当駆動期間を、ｔｄ５，ｔｄ６＞ｔｄ４，ｔｄ７＞ｔｄ３，ｔｄ８＞ｔｄ２，ｔｄ９＞ｔｄ１，ｔｄ１０と設定している。
【０１６０】
このように、第５の実施の形態の駆動パターンは、第１光源２４１及び第２光源２４２からの距離に応じて低下するバックライト光の輝度の低下量を領域に割り当てる割当駆動期間で補正する。図２７の例では、領域に入射する光の合計輝度の低い領域ＣＨ５，ＣＨ６における割当駆動期間を、入射する光の合計輝度の高い他の領域の割当駆動期間より長くする。このように、第５の実施の形態の駆動パターンでは、領域に割り当てる割当駆動期間を制御し、フレーム期間における合計輝度を均一にすることができる。
【０１６１】
図２８は、第５の実施の形態の表示装置におけるバックライト光の輝度分布を示す図である。
（Ａ）ＬＳ１，ＬＳ２補正輝度分布は、第５の実施の形態の駆動パターンでバックライト走査を行った場合における第１光源（ＬＳ１）及び第２光源（ＬＳ２）の補正後の輝度分布を説明する図である。
【０１６２】
ＬＳ１輝度分布は、第１光源２４１をＬＳ１電流一定として同じ条件で領域を駆動したときに、フレーム期間において得られる領域の輝度分布である。ＬＳ２輝度分布は、第２光源２４２をＬＳ２電流一定として同じ条件で領域を駆動したときに、フレーム期間において得られる領域の輝度分布である。
【０１６３】
ＬＳ１補正輝度分布及びＬＳ２補正輝度分布は、第５の実施の形態の駆動パターンで、領域を散乱状態に駆動したときに得られるバックライト光の輝度分布を示す。図１８に示すように、ＬＳ１輝度分布とＬＳ２輝度分布を合計した場合、第１光源２４１と第２光源２４２との中間に位置する領域ＣＨ５，ＣＨ６に入射する光の合計輝度が低下する。第５の実施の形態の駆動パターンでは、合計輝度が低下する領域ＣＨ５，ＣＨ６における散乱時間が長くなるように割当駆動期間を割り当てている。これにより、合成輝度分布に示すように、第２光源２４２の領域ＣＨ５，ＣＨ６におけるバックライト光の輝度をアップさせることができる。
【０１６４】
（Ｂ）合計輝度分布は、第５の実施の形態の駆動パターンで補正を行った後の領域のバックライト光の輝度分布を示す。補正後のＬＳ１補正輝度分布とＬＳ２補正輝度分布とを合計し、全領域で均一な合計輝度分布を得ることができる。
【０１６５】
［第６の実施の形態］
第６の実施の形態の表示装置について説明する。第６の実施の形態では、領域に割り当てられた割当駆動期間のうち、散乱時間に用いない時間を利用してバックライト光の輝度の均一化を図る。
【０１６６】
図２９は、第６の実施の形態の表示装置における駆動パターンの一例を示す図である。図２１と同じものには同じ名称を付し、説明を省略する。また、領域に対応する時間帯の記載と、太点線が画像走査を示すことも図２１と同様である。
【０１６７】
第６の実施の形態の駆動パターンでは、第１光源２４１のＬＳ１電流はｉｃ１、第２光源２４２のＬＳ２電流はｉｃ２の一定値にする。また、全領域に割当駆動期間ｔｄを均等に配分する。この場合、割当駆動期間ｔｄをすべて散乱時間に利用してしまうと、領域に入射する光の輝度は図１８に示す特性を有するため、均一な輝度を得ることができない。第６の実施の形態の駆動パターンでは、図１８に示す第１光源２４１及び第２光源２４２の合計輝度に基づき、入射する光の輝度の高い領域における散乱時間を他の領域の散乱時間よりも短く設定する。散乱時間を短くした領域では、割当駆動期間＞散乱時間となり、光源からの入射光を利用しない期間が生じる。光源からの入射光を利用しない期間を空き期間にする。第６の実施の形態の駆動パターンでは、空き期間を入射する光の輝度の低い領域に割り当て、バックライト光の輝度アップを図る。
【０１６８】
図２９の例では、第１光源２４１に近く、入射する光の輝度が高い領域ＣＨ７，ＣＨ８，ＣＨ９，ＣＨ１０の空き期間を入射する光の輝度の低い領域ＣＨ５，ＣＨ６に割り当てる。図２９の駆動パターンでは、領域ＣＨ５には、領域ＣＨ７，ＣＨ８，ＣＨ９の空き期間が割り当てられる。同様に、領域ＣＨ６には、領域ＣＨ１０の空き期間が割り当てられる。このように、空き期間を入射する光の輝度の低い領域ＣＨ５，ＣＨ６に割り当てることにより、領域ＣＨ５，ＣＨ６における散乱時間を増やすことができる。これにより、領域ＣＨ５，ＣＨ６のバックライト光の輝度アップが可能となる。
【０１６９】
［第７の実施の形態］
第７の実施の形態の表示装置について説明する。第７の実施の形態では、画像走査に同期してバックライト走査を行い、垂直ブランキング期間を利用してバックライト光の輝度の均一化を図る。
【０１７０】
図３０は、第７の実施の形態の表示装置における駆動パターンの一例を示す図である。図２１と同じものには同じ名称を付し、説明を省略する。また、領域に対応する時間帯の記載と、太点線が画像走査を示すことも図２１と同様である。
【０１７１】
第７の実施の形態の駆動パターンでは、第１光源２４１のＬＳ１電流ｉｃ１と、第２光源２４２のＬＳ２電流ｉｃ２は、一定値に制御される。バックライト走査期間は、画像走査期間に対応する主点灯期間と、垂直ブランキング期間に対応する輝度アップ期間を含む。
主点灯期間には、割当駆動期間として、各領域の画像走査期間ｔｓと同じ期間が割り当てられる。これにより、主点灯期間では、画像走査に同期してバックライト走査が行われる。
【０１７２】
輝度アップ期間には、領域に入射する光の合計輝度に応じて各領域の散乱時間が制御される。領域に入射する光の合計輝度は、第１光源２４１の発光輝度と当該領域の第１側面からの距離、及び第２光源２４２の発光輝度と当該領域の第２側面からの距離に応じて決まる。図３０に示す駆動パターンは、領域に入射する光の合計輝度が図１８に示す輝度分布である場合のパターンである。輝度アップ期間では、入射する光の合計輝度が低い領域ＣＨ５及び領域ＣＨ６が長くなるように散乱時間を制御している。
【０１７３】
このように、輝度アップ期間には、入射する光の合計輝度の輝度分布に基づいて、バックライト光の輝度が低下する領域ＣＨ５，ＣＨ６を散乱状態に制御する。基準のバックライト光の輝度に対し、主点灯期間において得られる領域のバックライト光の輝度の不足分を補うように輝度アップ期間における割当駆動期間が決定される。これにより、全領域のバックライト光の輝度を均一にすることができる。
【０１７４】
なお、第４の実施の形態から第７の実施の形態は、第１光源（ＬＳ１）２４１と第２光源（ＬＳ２）２４２を同時に点灯する駆動パターンである。以下では、第１光源（ＬＳ１）２４１と、第２光源（ＬＳ２）２４２を適宜選択し、省電力化を実現する駆動パターンについて説明する。
【０１７５】
［第８の実施の形態］
第８の実施の形態の表示装置について説明する。第８の実施の形態では、第１光源２４１と第２光源２４２のうち、一方を選択して点灯することにより、バックライト光の輝度の均一化とともに省電力化を図る。
【０１７６】
図３１は、第８の実施の形態の表示装置における駆動パターンの一例を示す図である。図２１と同じものには同じ名称を付し、説明を省略する。また、領域に対応する時間帯の記載と、太点線が画像走査を示すことも図２１と同様である。
【０１７７】
図３１に示す駆動パターンでは、第１光源２４１のＬＳ１電流ｉｃ１と、第２光源２４２のＬＳ２電流ｉｃ２は、一定値に制御される。また、バックライト走査期間は、領域に入射する光の合計輝度に応じて、合計輝度が低くなる領域における割当駆動期間が長くなるように配分している。なお、割当駆動期間は、散乱時間になる。図３１に示す駆動パターンでは、中央部分の領域ＣＨ５の割当駆動期間ｔｄ５と、領域ＣＨ６の割当駆動期間ｔｄ６を長くすることによって、バックライト光の輝度の均一化を図る。このとき、第２光源２４２に近い側の領域ＣＨ１〜ＣＨ５の割当駆動期間には、第２光源２４２を点灯し、第１光源２４１を消灯する。また、第１光源２４１に近い側の領域ＣＨ６〜ＣＨ１０の散乱時間には、第１光源２４１を点灯し、第２光源２４２を消灯する。図１８に示すように、第１光源２４１及び２光源２４２は、ともに、領域が遠くなるにしたがって、領域に入射する光の輝度が低下する。このように、対象領域の第１側面からの距離及び第２側面からの距離それぞれに応じた入射する光の輝度の低下量に基づき、光源を選択する。
【０１７８】
図３２は、第８の実施の形態の表示装置におけるバックライト光の輝度分布を示す図である。
（Ａ）ＬＳ１，ＬＳ２補正輝度分布は、第８の実施の形態の駆動パターンでバックライト走査を行った場合における第１光源（ＬＳ１）及び第２光源（ＬＳ２）の補正後の輝度分布を説明する図である。
【０１７９】
ＬＳ１輝度分布及びＬＳ２輝度分布は、図１８に示す輝度分布で入射し、同じ条件で駆動するＰＤＬＣ層１３３を介して出射される光の輝度分布を示す図である。
ＬＳ１補正輝度分布は、第８の実施の形態の駆動パターンで、領域を散乱状態に駆動したときに得られる第１光源２４１から入射した光が出射面１３９から出射されるバックライト光の輝度分布を示す。ＬＳ２補正輝度分布は、第８の実施の形態の領域を散乱状態に駆動したときに得られる第２光源２４２から入射した光が出射面１３９から出射されるバックライト光の輝度分布を示す。
【０１８０】
（Ｂ）合計輝度分布は、第８の実施の形態の駆動パターンで補正を行った後の領域のバックライト光の輝度分布を示す。補正後のＬＳ１補正輝度分布とＬＳ２補正輝度分布とを合計し、全領域で均一な合計輝度分布を得ることができる。
【０１８１】
第８の実施の形態の駆動パターンによれば、第１光源２４１と、第２光源２４２のうち、領域に近い光源、すなわち、領域に入射する光の輝度が高い方の光源を選択して点灯させる。光源に近い領域では、領域に入射する光の輝度の低下量に応じた補正量を小さくすることができるため、発光効率が良くなる。これにより、一方の側面にのみ光源を配置する構成と比べ、低電力化が可能となる。
【０１８２】
なお、領域が散乱状態にあるとき、領域に入射した光はあらゆる方向に散乱される。したがって、散乱光の一部は、光の進行方向に沿って、散乱状態の次以降の領域に進行する。このように、散乱状態の光の一部が次以降の領域に進行した光を洩れ光とよぶ。洩れ光が入射する領域を散乱状態に駆動することによって、洩れ光をバックライト光として利用することができる。図１８に示すように、領域に入射する光の輝度が側面からの距離に応じて低下することにより、同条件で駆動した場合、光の進行方向に沿って遠方にある領域のバックライト光は輝度が低下する。したがって、洩れ光を利用することにより、バックライト光の輝度が低下する遠方の領域の輝度アップを図ることができる。
【０１８３】
［第９の実施の形態］
第９の実施の形態の表示装置について説明する。第９の実施の形態の表示装置では、片側点灯する第１光源２４１及び第２光源２４２に供給する光源電流を制御することによって、バックライト光の輝度の均一化を図る。
【０１８４】
図３３は、第９の実施の形態の表示装置における駆動パターンの一例を示す図である。図２１と同じものには同じ名称を付し、説明を省略する。また、領域に対応する時間帯の記載と、太点線が画像走査を示すことも図２１と同様である。第９の実施の形態の駆動パターンでは、バックライト走査期間を領域に均等に配分し、割当駆動期間ｔｄを設定している。そして、領域に入射する光の輝度に基づいて、第１光源２４１または第２光源２４２を選択し、選択した光源の光源電流を制御する。
【０１８５】
図３３に示す駆動パターンでは、図３２と同様に、第２光源２４２に近い側の領域ＣＨ１〜ＣＨ５の散乱時間には、第２光源２４２を点灯し、第１光源２４１を消灯する。また、第１光源２４１に近い側の領域ＣＨ６〜ＣＨ１０の散乱時間には、第１光源２４１を点灯し、第２光源２４２を消灯する。また、第２光源２４２を選択している領域ＣＨ１，ＣＨ２，ＣＨ３，ＣＨ４，ＣＨ５は、第２側面からの距離に応じて入射する第２光源２４２からの光の輝度がＣＨ１＞ＣＨ２＞ＣＨ３＞ＣＨ４＞ＣＨ５の順に低下する。第２光源２４２のＬＳ２電流は、この輝度の低下量に合わせ、ｉ２１（ＣＨ１）＜ｉ２２（ＣＨ２）＜ｉ２３（ＣＨ３）＜ｉ２４（ＣＨ４）＜ｉ２５（ＣＨ５）の順に増加させる。なお、ｉ２１は、領域ＣＨ１の割当駆動期間におけるＬＳ２電流である。ｉ２２〜ｉ２５もそれぞれ（）に示す領域の割当駆動期間におけるＬＳ２電流である。同様に、第１光源２４１のＬＳ１電流は、領域に入射する第１光源２４１からの光の輝度に応じて制御される。第１光源２４１のＬＳ１電流は、ｉ１６（ＣＨ６）＞ｉ１７（ＣＨ７）＞ｉ１８（ＣＨ８）＞ｉ１９（ＣＨ９）＞ｉ１１０（ＣＨ１０）の順に減少させる。なお、ｉ１６は、領域ＣＨ６の割当駆動期間におけるＬＳ１電流である。ｉ１７〜ｉ１１０もそれぞれ（）に示す領域の割当駆動期間におけるＬＳ１電流である。
【０１８６】
このように、対象領域の第１側面からの距離及び第２側面からの距離それぞれに応じた入射する光の輝度の低下量に基づき、光源を選択し、光源電流を制御することによってバックライト光の輝度の均一化が可能となる。図３３に示す駆動パターンにより、図３２に示すバックライト光の輝度分布と効果を得ることができる。
【０１８７】
ところで、ＬＣＤパネル１２０の表示処理では、通常表示における輝度よりも輝度を高くして表示を行う輝度上げを行う場合がある。これにより、表示画像の任意の部分を強調表示することができる。以下、輝度上げを行う駆動パターンについて説明する。
【０１８８】
［第１０の実施の形態］
第１０の実施の形態の表示装置について説明する。第１０の実施の形態の表示装置では、通常時には第８の実施の形態と同様に、片側点灯を行う。輝度上げを行う場合は、対象となる分割領域の駆動時間に、光源を同時に点灯し、バックライト光の輝度を上げる。
【０１８９】
図３４は、第１０の実施の形態の表示装置における駆動パターンの一例を示す図である。図２１と同じものには同じ名称を付し、説明を省略する。また、領域に対応する時間帯の記載と、太点線が画像走査を示すことも図２１と同様である。
【０１９０】
図３４に示す駆動パターンでは、領域ＣＨ５，ＣＨ６に対して輝度上げを行う。領域ＣＨ１，ＣＨ２，ＣＨ３，ＣＨ４では、第８の実施の形態と同様に、第２光源２４２のみを片側点灯し、領域の第２側面からの距離に応じて割当駆動期間を制御する。領域ＣＨ５では、第２光源２４２の割当駆動期間を第２側面からの距離に応じて設定するとともに、第１光源２４１を点灯する割当駆動期間を設定する。領域ＣＨ５の割当駆動期間では、第２光源２４２から入射した光を散乱するため、散乱状態に駆動されている。さらに、第１光源２４１から入射した光を散乱することにより、輝度を上げることができる。輝度アップ量は、第１光源２４１を点灯する時間と、ＬＳ１電流の電流値で制御する。同様に、領域ＣＨ６の割当駆動期間において、第１光源２４１の割当駆動期間を第１側面からの距離に応じて設定するとともに、第２光源２４２を点灯する駆動時間を設定する。第２光源２４２を点灯する時間と、ＬＳ２電流の電流値で輝度アップ量を制御する。
【０１９１】
図３５は、第１０の実施の形態の表示装置におけるバックライト光の輝度分布を示す図である。
（Ａ）ＬＳ１，ＬＳ２補正輝度分布は、第１０の実施の形態の駆動パターンでバックライト走査を行った場合における第１光源（ＬＳ１）及び第２光源（ＬＳ２）の補正後の輝度分布を説明する図である。
【０１９２】
ＬＳ１補正輝度分布は、第１０の実施の形態の駆動パターンで、領域を散乱状態に駆動したときに得られる第１光源２４１から入射した光が出射面１３９から出射されるバックライト光の輝度分布を示す。ＬＳ２補正輝度分布は、第１０の実施の形態の領域を散乱状態に駆動したときに得られる第２光源２４２から入射した光が出射面１３９から出射されるバックライト光の輝度分布を示す。ＬＳ１補正輝度分布は、領域ＣＨ６〜ＣＨ１０については、図３２に示す第８の実施の形態の駆動パターンの輝度分布と同様である。領域ＣＨ５において輝度アップ分の輝度を発生させている。ＬＳ２補正輝度分布は、領域ＣＨ１〜ＣＨ５については、図３２に示す第８の実施の形態の駆動パターンの輝度分布と同様である。領域ＣＨ６において輝度アップ分の輝度を発生させている。
【０１９３】
（Ｂ）合計輝度分布は、第１０の実施の形態の駆動パターンで補正を行った後の領域のバックライト光の輝度分布を示す。補正後のＬＳ１補正輝度分布とＬＳ２補正輝度分布とを合計し、輝度上げの領域を除く領域で均一な合計輝度分布を得ることができる。輝度上げの領域では、同時点灯した光源から入射した光による輝度が合計輝度に加算され、バックライト光の輝度がアップする。
【０１９４】
第１０の実施の形態の駆動パターンでは、第８の実施の形態の駆動パターンと同様の効果に加え、任意の領域の輝度アップを図れる。なお、輝度上げを行う領域と、アップする輝度量は、画像解析などによって算出する。
【０１９５】
［第１１の実施の形態］
第１１の実施の形態の表示装置について説明する。第１１の実施の形態の表示装置について説明する。第１１の実施の形態の表示装置では、通常時には第９の実施の形態と同様に、片側点灯を行う。輝度上げを行う場合は、対象となる分割領域の駆動時間に、光源を同時に点灯し、バックライト光の輝度を上げる。
【０１９６】
図３６は、第１１の実施の形態の表示装置における駆動パターンの一例を示す図である。図２１と同じものには同じ名称を付し、説明を省略する。また、領域に対応する時間帯の記載と、太点線が画像走査を示すことも図２１と同様である。図３６に示す一例では、領域ＣＨ５，ＣＨ６に対して輝度上げを行う。
【０１９７】
図３６に示す駆動パターンでは、輝度上げを行う領域を除き、第９の実施の形態と同様に、領域に均等に割当駆動期間を配分し、光源電流を制御し、輝度の均一化を図る。領域ＣＨ１，ＣＨ２，ＣＨ３，ＣＨ４では、第９の実施の形態と同様に、第２光源２４２のみを片側点灯し、領域の第２光源２４２からの距離に応じてＬＳ２電流を制御する。領域ＣＨ５では、第２光源２４２のＬＳ２電流を第２光源２４２からの距離に応じて設定するとともに、第１光源２４１を所定のＬＳ１電流で点灯する。領域ＣＨ５の割当駆動期間では、第２光源２４２から入射した光に加え、第１光源２４１から入射した光を散乱することにより、輝度を上げることができる。輝度アップ量は、第１光源２４１のＬＳ１電流の電流値で制御する。同様に、領域ＣＨ６の割当駆動期間において、第１光源２４１のＬＳ１電流を第１光源２４１からの距離に応じて設定するとともに、第２光源２４２をＬＳ２電流で点灯する。第２光源２４２のＬＳ２電流の電流値で輝度アップ量を制御する。
【０１９８】
このような図３６に示す駆動パターンで駆動したときに得られるバックライト光の輝度分布は、図３５に示す第１０の実施の形態の駆動パターンと同様である。
第１１の実施の形態の駆動パターンでは、第９の実施の形態の駆動パターンと同様の効果に加え、任意の領域の輝度アップを図れる。なお、輝度上げを行う領域と、アップする輝度量は、画像解析などによって算出する。
【０１９９】
［第１２の実施の形態］
第１２の実施の形態の表示装置について説明する。第４の実施の形態から第１１の実施の形態では、複数領域の散乱時間が重複することはなかったが、第１２の実施の形態では、２つの領域の散乱時間が重なるように制御を行う。
【０２００】
図３７は、第１２の実施の形態の表示装置のバックライト部分駆動を示す図である。
図３７では、第１光源２４１からＰＤＬＣ層１３３に入射する光Ｌ７を太点線で示す。また、第２光源２４２からＰＤＬＣ層１３３に入射する光Ｌ８を一点鎖線で示す。
【０２０１】
光Ｌ７は、途中で散乱されない場合は、透明基板１３１と透明基板１３２の間で全反射を繰り返しながら、領域ＣＨ１０から領域ＣＨ１に向かうＹ方向に進行する。光Ｌ８は、途中で散乱されない場合は、透明基板１３１と透明基板１３２の間で全反射を繰り返しながら、領域ＣＨ１から領域ＣＨ１０に向かうＹ方向の反対方向に進行する。なお、光Ｌ７及び光Ｌ８は、スペーサ１３３２内は直進する。
【０２０２】
ここで、領域ＣＨ７及び領域ＣＨ５の領域電極に駆動電圧を印加し、領域ＣＨ７及び領域ＣＨ５を散乱状態にする。このとき、他の領域は、透過状態にする。光Ｌ７は、透過状態の領域ＣＨ１０，ＣＨ９，ＣＨ８内を進行し、領域ＣＨ７に入射する。領域ＣＨ７は散乱状態であるため、光Ｌ７は散乱する。一方、光Ｌ８は、透過状態の領域ＣＨ１，ＣＨ２，ＣＨ３，ＣＨ４内を進行し、領域ＣＨ５に入射する。領域ＣＨ５は散乱状態であるため、光Ｌ８は散乱する。領域ＣＨ７で散乱された光Ｌ７と、領域ＣＨ５で散乱された光Ｌ８とは、その一部の光がＬＣＤパネル１２０に向けて出射される。なお、透明基板１３２側に向かった光は、反射シート１３８によってＰＤＬＣ１３３１内に戻される。このとき、導光部１３０は、ＬＣＤパネル１２０側から領域ＣＨ７と領域ＣＨ５が点灯し、他の領域が消灯している状態で視認される。
【０２０３】
このように、２つの光源の光を利用するので、２つの領域を同時に点灯することができる。なお、第１の領域を基準とすると、第２の領域は、第１光源２４１からの光の進行方向に沿って第１の領域の次の流域から第２光源２４２に隣接する領域までの領域が選択される。図３７の例で示すと、第１の領域が領域ＣＨ７に設定された場合、第２の領域は、領域ＣＨ６から領域ＣＨ１までの領域を選択することができる。２つの領域を同時に点灯する駆動パターンについて説明する。
【０２０４】
図３８は、第１２の実施の形態の表示装置における駆動パターンの一例を示す図である。図２１と同じものには同じ名称を付し、説明を省略する。また、領域に対応する時間帯の記載と、太点線が画像走査を示すことも図２１と同様である。第１２の実施の形態の駆動パターンでは、第１光源２４１から入射する光を散乱する第１の領域と、第２光源２４２から入射する光を散乱する第２の領域を、同時に駆動する。
【０２０５】
図３８の駆動パターンでは、領域ＣＨ１，ＣＨ２、領域ＣＨ３，ＣＨ４、領域ＣＨ５，ＣＨ６、領域ＣＨ７，ＣＨ８、領域ＣＨ９，ＣＨ１０をそれぞれ１組とし、２つの領域が同時に散乱状態となるように制御を行う。また、全領域には、バックライト走査期間を組に均等に割り当てた割当駆動期間が設定される。また、組に含まれる領域の画像走査が終了してからバックライト走査を開始する。
【０２０６】
図３８の例では、領域ＣＨ１，ＣＨ２の組の画像走査（２ｔｓ）が終了した時点で、領域ＣＨ１，ＣＨ２の割当駆動期間（２ｔｄ）が開始される。なお、２ｔｓは、２領域分の画像走査が行われる期間を示す。２ｔｄは、バックライト走査期間を全領域に均等に割り当てた場合の１領域当たりの割当駆動期間（ｔｄ）の２倍の期間が割り当てられることを示す。また、各組の割当駆動期間における第１光源２４１のＬＳ１電流と、第２光源２４２のＬＳ２電流は、各組の領域に応じて制御される。領域ＣＨ１，ＣＨ２の組では、領域ＣＨ１は、隣接する第２光源２４２からの光を入射するので、ＬＳ２電流ｉ２１は他の選択される領域より低い。一方、領域ＣＨ２は、離れた第１光源２４１からの光を入射するので、ＬＳ１電流ｉ１２は他の選択される領域より高い。
【０２０７】
領域ＣＨ１，ＣＨ２の組の次には、領域ＣＨ３，ＣＨ４の組が選択される。組に割り当てられた割当駆動期間は、領域ＣＨ１，ＣＨ２の組と同じである。また、領域ＣＨ３は、領域ＣＨ１より第２光源２４２からの距離が遠いので、ＬＳ２電流ｉ２３は、ＬＳ２電流ｉ２１より大きい。領域ＣＨ４は、領域ＣＨ２より第１光源２４１からの距離が近いので、ＬＳ１電流ｉ１４はＬＳ１電流ｉ１２より小さい。このように、順次、組が選択され、割当駆動期間におけるＬＳ１電流及びＬＳ２電流が制御される。
【０２０８】
図３９は、第１２の実施の形態の表示装置におけるバックライト光の輝度分布を示す図である。図３９は、補正後の合計輝度の輝度分布を示す。ＬＳ１は、第１光源２４１からの光に基づくバックライト光の補正輝度分布を示す。ＬＳ２は、第２光源２４２の光に基づくバックライト光の補正輝度分布を示す。
【０２０９】
合計輝度分布は、領域ＣＨ１，ＣＨ３，ＣＨ５，ＣＨ７，ＣＨ９のＬＳ２補正輝度分布と、領域ＣＨ２，ＣＨ４，ＣＨ６，ＣＨ８，ＣＨ１０のＬＳ１補正輝度分布とが合計された輝度分布を示す。
【０２１０】
このように、第１２の実施の形態の駆動パターンでは、２つの領域を同時に点灯する。２つの領域を同時点灯させることで、図３８に示すように、領域当たりの割当駆動期間を２倍にすることができる。これにより、各領域の輝度アップが可能となる。
【０２１１】
以上、駆動パターンについて説明したが、上記の駆動パターンは、それぞれ独立して用いられる他、組み合わせて用いるとしてもよい。例えば、領域の光源からの距離に応じて、領域に割り当てる割当駆動期間を制御する駆動パターンに、領域の割当駆動期間において光源に供給する光源電流の制御を加えるとしてもよい。
【０２１２】
［第１３の実施の形態］
第１３の実施の形態の表示装置について説明する。第４の実施の形態から第１２の実施の形態では、フレームメモリを設けない構成としたが、第１３の実施の形態では、フレームメモリを設け、１画面の画像解析を行う構成について説明する。
【０２１３】
図４０は、第１３の実施の形態の表示装置の機能構成例を示す図である。図１９と同じものには同じ符号を付し、説明は省略する。第１３の実施の形態の表示装置３００は、信号処理部３５０にフレームメモリ３５１を有し、画像解析部３５３は、フレームメモリ３５１に格納された画像を解析する。
【０２１４】
フレームメモリ３５１は、信号処理部３５０に入力する画像信号を少なくとも１フレーム分記憶する。フレームメモリ３５１は、例えば、ＲＡＭ１１２に確保した記憶領域として実現できる。
【０２１５】
画像処理部３５２は、フレームメモリ３５１に格納される画像信号を信号処理し、表示用ドライバ１１４に出力する。
画像解析部３５３は、例えば、垂直ブランキング期間に、フレームメモリ３５１に格納される１フレーム分の画像信号を解析し、バックライト光の輝度プロファイルを作成する。輝度プロファイルは、例えば領域などの解析単位ごとに、画像に基づくバックライト光の輝度を算出した情報である。
【０２１６】
駆動パターン決定部３５４は、画像解析部３５３が生成した１フレーム分のバックライト光の輝度プロファイルに基づいて、駆動パターンを決定する。駆動パターン決定部３５４では、輝度プロファイルに基づき、駆動パターンを適宜選択する。駆動パターン決定部３５４は、予め決められた条件、例えば、電力的に最も効率のよい駆動パターンを選択し、第１光源２４１及び第２光源２４２、割当駆動期間などを決定する。条件は、予め利用者が設定するとしてもよい。
【０２１７】
図４１は、第１３の実施の形態の表示装置の各機能部の駆動タイミングを示す図である。図１０と同じものには、同じ名称を付し、説明は省略する。
表示装置３００では、信号処理部３５０に入力する画像信号ＤＥは、フレームメモリ３５１に逐次格納される。１フレームにおける画像走査期間が終了する時点で、フレームメモリ３５１には１フレーム分の画像信号が格納される。画像解析部３５３は、例えば、垂直ブランキング期間に、フレームメモリ３５１に格納される画像信号を解析し、バックライト光の輝度プロファイルを作成する。駆動パターン決定部３５４は、輝度プロファイルと、光源データ記憶部２５４に記憶される輝度分布テーブルとに基づき、駆動パターンを決定する。次のフレーム期間では、画像処理部３５２がフレームメモリ３５１に格納する画像信号を信号処理した表示用信号を表示用ドライバ１１４に出力する。また、駆動パターン決定部３５４は、決定した駆動パターンに基づき、ＰＤＬＣドライバ１１６及び光源ドライバ２２５を制御する。表示用ドライバ１１４、ＰＤＬＣドライバ１１６及び光源ドライバ２２５は、タイミング生成部１５２が生成するタイミング信号に基づいて駆動する。表示用ドライバ１１４は、タイミング信号に同期して画像走査を行う。ＰＤＬＣドライバ１１６及び光源ドライバ２２５は、タイミング信号に同期してバックライト走査を行う。ＰＤＬＣドライバ１１６は、領域電極を駆動して領域を散乱状態にし、領域に入射した光を散乱させる。光源ドライバ２２５は第１光源２４１及び第２光源２４２を駆動し、領域に入射する光を発光する。
【０２１８】
ここで、輝度プロファイルを作成して行う駆動制御について説明する。
図４２は、第１３の実施の形態の表示装置の表示画面例を示す図である。
画像６００は、ＬＣＤパネル１２０の表示画面に表示される画像の一例である。画像６００の斜線部分は、暗い画像であることを示す。ＣＨ１，ＣＨ２，ＣＨ３，ＣＨ４，ＣＨ５，ＣＨ６，ＣＨ７，ＣＨ８，ＣＨ９，ＣＨ１０は、導光部１３０の領域を示す。
【０２１９】
図４２の例では、下画面の領域ＣＨ６，ＣＨ７，ＣＨ８，ＣＨ９，ＣＨ１０は暗い画像である。一方、上画面の領域ＣＨ１，ＣＨ２，ＣＨ３，ＣＨ４，ＣＨ５は明るい画像である。したがって、画像解析部３５３が算出するバックライトの輝度プロファイルでは、領域ＣＨ１，ＣＨ２，ＣＨ３，ＣＨ４，ＣＨ５の輝度は高く、領域ＣＨ６，ＣＨ７，ＣＨ８，ＣＨ９，ＣＨ１０の輝度は低くなる。駆動パターン決定部３５４は、このような輝度プロファイルに基づき、電力的に最も効率のよい駆動パターンとして、図３３に示す第９の実施の形態の駆動パターンを選択する。第９の実施の形態の駆動パターンは、領域に近い側の光源を片側点灯し、領域における光源からの距離に応じて光源を駆動する光源電流を制御する。
【０２２０】
図４３は、第１３の実施の形態の表示装置における駆動パターンの一例を示す図である。図２１と同じものには同じ名称を付し、説明を省略する。また、領域に対応する時間帯の記載と、太点線が画像走査を示すことも図２１と同様である。
【０２２１】
図４３に示す駆動パターンは、第２光源２４２に近い領域ＣＨ１，ＣＨ２，ＣＨ３，ＣＨ４，ＣＨ５は第２光源２４２を片側点灯する。一方、第１光源２４１に近い領域ＣＨ６，ＣＨ７，ＣＨ８，ＣＨ９，ＣＨ１０では、第１光源２４１を片側点灯する。図４２に示した表示画面に表示される画像では、領域ＣＨ１，ＣＨ２，ＣＨ３，ＣＨ４，ＣＨ５に対応する画像が領域ＣＨ６，ＣＨ７，ＣＨ８，ＣＨ９，ＣＨ１０に対応する画像よりも明るいので、輝度プロファイルでは領域ＣＨ１，ＣＨ２，ＣＨ３，ＣＨ４，ＣＨ５は領域ＣＨ６，ＣＨ７，ＣＨ８，ＣＨ９，ＣＨ１０よりも輝度が高い。輝度プロファイルでは、領域ＣＨ１，ＣＨ２，ＣＨ３，ＣＨ４，ＣＨ５は輝度が高いので、これらの領域に割り当てられた割当駆動期間に点灯する第２光源２４２のＬＳ２電流を高くする。また、領域ＣＨ１，ＣＨ２，ＣＨ３，ＣＨ４，ＣＨ５と、第２光源２４２からの距離が遠くなるにしたがって、ＬＳ２電流をｉ２１（ＣＨ１）＜ｉ２２（ＣＨ２）＜ｉ２３（ＣＨ３）＜ｉ２４（ＣＨ４）＜ｉ２５（ＣＨ５）の順にＬＳ２電流が大きくなるように制御する。一方、図４２に示した表示画面に表示される画像では、領域ＣＨ６，ＣＨ７，ＣＨ８，ＣＨ９，ＣＨ１０に対応する画像が領域ＣＨ１，ＣＨ２，ＣＨ３，ＣＨ４，ＣＨ５に対応する画像よりも暗いので、輝度プロファイルでは、領域ＣＨ６，ＣＨ７，ＣＨ８，ＣＨ９，ＣＨ１０は領域ＣＨ１，ＣＨ２，ＣＨ３，ＣＨ４，ＣＨ５よりも輝度が低い。領域に割り当てられた割当駆動期間に点灯する第１光源２４１のＬＳ１電流をＬＳ２電流と比べて、低く設定する。また、領域ＣＨ６，ＣＨ７，ＣＨ８，ＣＨ９，ＣＨ１０と、第１光源２４１からの距離が近くなるにしたがって、ＬＳ１電流をｉ１６（ＣＨ６）＞ｉ１７（ＣＨ７）＞ｉ１８（ＣＨ８）＞ｉ１９（ＣＨ９）＞ｉ１１０（ＣＨ１０）の順にＬＳ１電流が小さくなるように制御する。なお、この場合においても、第２の実施の形態、第５の実施の形態乃至第７の実施の形態と同様に、ＬＳ１及びＬＳ２の電流を一定とし、各々の領域の点灯時間を制御することにより輝度を制御してもよい。
【０２２２】
図４４は、第１３の実施の形態の表示装置におけるバックライト光の輝度分布を示す図である。図４４は、補正後の合計輝度の輝度分布を示す。ＬＳ１は、第１光源２４１からの光に基づくバックライト光の補正輝度分布を示す。ＬＳ２は、第２光源２４２の光に基づくバックライト光の補正輝度分布を示す。
【０２２３】
合計輝度分布は、領域ＣＨ１，ＣＨ２，ＣＨ３，ＣＨ４，ＣＨ５のＬＳ２補正輝度分布と、領域ＣＨ６，ＣＨ７，ＣＨ８，ＣＨ９，ＣＨ１０のＬＳ１補正輝度分布とが合計された輝度分布を示す。図４３に示す駆動パターンでは、第２光源２４２を駆動するＬＳ２電流に対し、第１光源２４１を駆動するＬＳ１電流が低い値に設定されている。このように、輝度プロファイルに基づき、高い輝度が必要ない場合は、光源へ供給する光源電流を低く設定することができる。これにより、光の利用効率が上がり、低電力で駆動することができる。このように、バックライト走査の前に輝度プロファイルを作成し、輝度プロファイルに基づいて駆動パターンを決定することにより、より画像に適した駆動パターンを生成することができる。
【０２２４】
なお、上記の処理機能は、コンピュータによって実現することができる。その場合、表示装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスクドライブ（ＨＤＤ；Hard Disk Drive）、フレキシブルディスク（ＦＤ）、磁気テープなどがある。光ディスクには、ＤＶＤ（Digital Versatile Disc）、ＤＶＤ−ＲＡＭ、ＣＤ（Compact Disc）−ＲＯＭ、ＣＤ−Ｒ（Recordable）／ＲＷ（ReWritable）などがある。光磁気記録媒体には、ＭＯ（Magneto-Optical disk）などがある。
【０２２５】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０２２６】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送されるごとに、逐次、受け取ったプログラムにしたがった処理を実行することもできる。
【０２２７】
また、上記の処理機能の少なくとも一部を、ＤＳＰ（Digital Signal Processor）、ＡＳＩＣ、ＰＬＤ（Programmable Logic Device）などの電子回路で実現することもできる。
【０２２８】
本発明の思想の範疇において、当業者であれば、各種の変更例及び修正例に想到し得るものであり、それら変更例及び修正例についても本発明の範囲に属するものと了解される。例えば、前述の各実施の形態に対して、当業者が適宜、構成要素の追加、削除もしくは設計変更を行ったもの、または、工程の追加、省略もしくは条件変更を行ったものも、本発明の要旨を備えている限り、本発明の範囲に含まれる。
【０２２９】
（１）開示される発明の一態様は、画像走査期間と垂直ブランキング期間を有するフレーム周期で画像を更新する画像表示パネルと、
前記画像表示パネルの背面に配置され、印加された電場に応じて、入射した光を散乱する散乱状態、または、前記光を透過する透過状態に切り替わる光変調層と、
前記光変調層の側面から入射して前記光変調層内を進行する光を発光する光源と、
前記光源の光の進行方向と交差する方向に前記光変調層を分割する分割領域ごとに形成され、前記光変調層に前記電場を印加する電極と、
前記画像走査期間に対応する第１の期間に、画像走査に同期して前記電極を駆動し、散乱状態にする前記分割領域を順次切り替え、前記垂直ブランキング期間に対応する第２の期間に、前記側面からの距離に応じて前記電極を駆動し、前記分割領域ごとに散乱状態を制御する制御部と、
を有する表示装置である。
【０２３０】
（２）開示される発明の一態様は、前記制御部は、前記画像表示パネルによる前記画像走査が終了した順に、前記分割領域を散乱状態にする、
（１）に記載の表示装置である。
【０２３１】
（３）開示される発明の一態様は、前記制御部は、前記側面に入射した前記光源の光が、前記分割領域に入射するまでの距離に応じて低下する輝度の低下量に基づき、前記第２の期間において、前記分割領域を散乱状態にする散乱時間を制御する、
（１）に記載の表示装置である。
【０２３２】
（４）開示される発明の一態様は、前記制御部は、前記分割領域を同じ駆動条件で散乱状態にしたときに前記分割領域から出射される光の輝度を登録した輝度分布テーブルに基づき、前記第１の期間において前記分割領域から出射される光の輝度が要求輝度に不足するときは、不足分に応じて散乱時間を制御する、
（１）に記載の表示装置である。
【０２３３】
（５）開示される発明の一態様は、前記光源からの光が入射する前記光変調層の第１の側面に対向する第２の側面から入射して前記光変調層を進行する光を発光する第２の光源を有し、
前記制御部は、前記分割領域の前記第１の側面からの距離及び前記第２の側面からの距離に基づいて、当該分割領域における散乱状態を制御する、
（１）に記載の表示装置である。
【０２３４】
（６）開示される発明の一態様は、フレーム周期で画像が更新される画像表示パネルと、
前記画像表示パネルの背面に配置され、印加された電場に応じて入射した光を散乱する散乱状態、または、前記光を透過する透過状態に切り替わる光変調層と、
前記光変調層の第１の側面から入射して、前記光変調層内を第１の方向に進行する光を発光する第１の光源と、
前記光変調層の前記第１の側面と対向する第２の側面から入射して、前記光変調層内を前記第１の方向と逆の第２の方向に進行する光を発光する第２の光源と、
前記第１の方向及び前記第２の方向に交差する方向に前記変調層を分割する分割領域ごとに形成され、前記光変調層に前記電場を印加する電極と、
フレーム期間に対応するバックライト走査期間において、前記分割領域を所定の順に選択し、選択した前記分割領域の前記第１の側面からの距離及び前記第２の側面からの距離に基づいて当該分割領域に対応する前記電極を駆動し、前記分割領域ごとに散乱状態を制御する制御部と、
を有する表示装置である。
【０２３５】
（７）開示される発明の一態様は、前記制御部は、前記画像表示パネルによる画像走査が終了した順に、前記分割領域を散乱状態にする、
（６）に記載の表示装置である。
【０２３６】
（８）開示される発明の一態様は、前記制御部は、
前記バックライト走査期間において前記分割領域を散乱状態に制御する割当駆動期間を設定し、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量と、に基づき、前記分割領域の前記割当駆動期間において、前記第１の光源及び前記第２の光源のうちの少なくとも一方を駆動する駆動電流を制御する、
（６）に記載の表示装置である。
【０２３７】
（９）開示される発明の一態様は、前記制御部は、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量と、に基づき、前記バックライト走査期間に、前記分割領域を散乱状態にする散乱時間を制御する、
（６）に記載の表示装置である。
【０２３８】
（１０）開示される発明の一態様は、前記制御部は、
前記バックライト走査期間を前記分割領域に等分に配分した割当駆動期間を設定し、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量に基づき、要求輝度を得るための散乱時間が、前記割当駆動期間より短い第１の分割領域における空き時間を、前記散乱時間が前記割当駆動期間よりも長い第２の分割領域の散乱時間に割り当てる、
（６）に記載の表示装置である。
【０２３９】
（１１）開示される発明の一態様は、前記制御部は、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量と、に基づき、前記分割領域に入射する第１の光源からの光の輝度と、前記第２の光源からの光の輝度を合計した合計輝度に基づき、前記分割領域ごとに散乱状態を制御する、
（６）乃至（１０）のいずれか１に記載の表示装置である。
【０２４０】
（１２）開示される発明の一態様は、前記制御部は、
前記第１の側面に入射した前記第１の光源の光が、前記分割領域に入射するまでの距離に応じて低下する第１の輝度低下量と、前記第２の側面に入射した前記第２の光源の光が、前記分割領域に入射するまでの距離に応じて低下する第２の輝度低下量と、に基づき、
前記第１の光源または前記第２の光源のうち、前記分割領域に入射する光の輝度が高い方を選択し、
前記分割領域を散乱状態にする期間に、選択した前記第１の光源または前記第２の光源を点灯し、選択しなかった前記第１の光源または前記第２の光源を消灯する、
（６）に記載の表示装置である。
【０２４１】
（１３）開示される発明の一態様は、前記制御部は、
前記第１の輝度低下量または前記第２の輝度低下量のうち、選択した光源に対応する輝度低下量に基づいて、前記分割領域を散乱状態にする散乱時間を制御する、
（１２）に記載の表示装置である。
【０２４２】
（１４）開示される発明の一態様は、前記制御部は、
前記分割領域を散乱状態にする期間に、前記第１の輝度低下量または前記第２の輝度低下量のうち、選択した光源に対応する輝度低下量に基づいて、前記分割領域を散乱状態にする散乱時間に選択した前記第１の光源または前記第２の光源を駆動する駆動電流を制御する、
（１２）に記載の表示装置である。
【０２４３】
（１５）開示される発明の一態様は、前記制御部は、
前記分割領域に対応する前記画像表示パネルの領域に書き込まれる画像信号を解析し、解析結果に基づいて、前記分割領域が、出射する光の輝度を周囲の前記分割領域より高くする輝度上げ対象であるときは、当該分割領域を散乱状態にする散乱時間に、前記第１の光源及び前記第２の光源を点灯する、
（１２）に記載の表示装置である。
【０２４４】
（１６）開示される発明の一態様は、前記制御部は、
第１の分割領域と、前記第１の分割領域と前記第２の側面との間に配置されている第２の分割領域を選択し、
前記第１の分割領域に入射する前記第１の光源からの光を散乱状態にする第１の散乱時間と、前記第２の分割領域に入射する前記第２の光源からの光を散乱状態にする第２の散乱時間と、が重なるように制御する、
（６）に記載の表示装置である。
【０２４５】
（１７）開示される発明の一態様は、順次入力する少なくとも１フレーム期間の画像信号を格納するフレームメモリを有し、
前記制御部は、前記フレームメモリに格納される１フレーム期間の画像信号を解析してバックライト輝度プロファイルを算出し、前記バックライト輝度プロファイルに基づき、前記第１の光源、前記第２の光源及び前記電極を駆動する駆動パターンを生成する、
（６）に記載の表示装置である。
【符号の説明】
【０２４６】
１・・・表示装置、  ２・・・画像表示パネル、  ２ａ，２ｂ，２ｃ，２ｄ・・・表示領域、  ３・・・第１電極、  ３ａ，３ｂ，３ｃ，３ｄ・・・部分電極、  ４・・・光変調層、  ４ａ，４ｂ，４ｃ，４ｄ・・・分割領域、  ５・・・第２電極、  ６・・・光源、  ７・・・制御部、  ２０・・・表示装置、  ６１・・・第１光源、  ６２・・・第２光源、  ７１・・・制御部、  １００・・・表示装置、  １２０・・・ＬＣＤパネル、  １３０・・・導光部、  １４０・・・光源
【図１】
0006602695.tif 000002
【図２】
0006602695.tif 000003
【図３】
0006602695.tif 000004
【図４】
0006602695.tif 000005
【図５】
0006602695.tif 000006
【図６】
0006602695.tif 000007
【図７】
0006602695.tif 000008
【図８】
0006602695.tif 000009
【図９】
0006602695.tif 000010
【図１０】
0006602695.tif 000011
【図１１】
0006602695.tif 000012
【図１２】
0006602695.tif 000013
【図１３】
0006602695.tif 000014
【図１４】
0006602695.tif 000015
【図１５】
0006602695.tif 000016
【図１６】
0006602695.tif 000017
【図１７】
0006602695.tif 000018
【図１８】
0006602695.tif 000019
【図１９】
0006602695.tif 000020
【図２０】
0006602695.tif 000021
【図２１】
0006602695.tif 000022
【図２２】
0006602695.tif 000023
【図２３】
0006602695.tif 000024
【図２４】
0006602695.tif 000025
【図２５】
0006602695.tif 000026
【図２６】
0006602695.tif 000027
【図２７】
0006602695.tif 000028
【図２８】
0006602695.tif 000029
【図２９】
0006602695.tif 000030
【図３０】
0006602695.tif 000031
【図３１】
0006602695.tif 000032
【図３２】
0006602695.tif 000033
【図３３】
0006602695.tif 000034
【図３４】
0006602695.tif 000035
【図３５】
0006602695.tif 000036
【図３６】
0006602695.tif 000037
【図３７】
0006602695.tif 000038
【図３８】
0006602695.tif 000039
【図３９】
0006602695.tif 000040
【図４０】
0006602695.tif 000041
【図４１】
0006602695.tif 000042
【図４２】
0006602695.tif 000043
【図４３】
0006602695.tif 000044
【図４４】
0006602695.tif 000045